(57)【要約】【課題】市販のデジタルカメラを利用して書画原稿を撮像させるようにした、安価で、しかも持ち運びが容易なカメラスタンドを提供する。【解決手段】使用時に、２本のスタンド脚１４をスタンド本体１０の基端部の外方に開脚させて張出させてスタンド載置面上に置かれ、スタンド本体１０を起立回動され、その前端に枢支されたカメラ支持アーム１６をスタンド本体１０の前方に張出し回動されて、スタンド載置面上に置かれた書画原稿Ａを前記カメラ支持アーム１６の先端のカメラホルダ１９に装着されたデジタルカメラ１により撮像させ、不使用時に、カメラ支持アーム１６をスタンド本体１０に沿わせて格納され、２本のスタンド脚１４をスタンド本体１０に沿わせて回動されて、スタンド本体１０と２本のスタンド脚１４とを互いに平行にした状態に折り畳まれる。【選択図】      図１
2010113362.tif 000002
【特許請求の範囲】
【請求項１】
基端部を中心として起立状態と倒伏状態とに回動されるスタンド本体と、
前記スタンド本体の基端部からその外方に向かって互いに離間する方向に開脚させて張出される２本のスタンド脚と、
先端にデジタルカメラを着脱可能に支持するカメラホルダを有し、基端を前記スタンド本体の先端部に枢支されたカメラ支持アームとを備え、
使用時に、前記２本のスタンド脚を前記スタンド本体の基端部の外方に開脚させて張出させた状態でスタンド載置面上に置かれて、前記カメラホルダに装着されたデジタルカメラによる前記スタンド載置面上に置かれた書画原稿の撮像を行なわせ、
不使用時に、前記スタンド本体と前記２本のスタンド脚とを互いに平行にした状態に折り畳まれることを特徴とするカメラスタンド。
【請求項２】
使用時に、スタンド本体をスタンド載置面に対して起立回動されるとともに、カメラ支持アームを前記起立回動されたスタンド本体の前方に張出し回動され、不使用時に、前記カメラ支持アームを、前記スタンド本体に沿わせて格納されるか、あるいは前記スタンド本体の先端から前記スタンド本体の延長線に沿わせて張出されるとともに、前記２本のスタンド脚と前記スタンド本体の一方を他方に沿わせて回動されることを特徴とする請求項１に記載のカメラスタンド。
【請求項３】
２本のスタンド脚は、スタンド本体の前方の領域に対してその一側の外方と他側の外方とにそれぞれ斜めに傾いた開脚状態で張出されることを特徴とする請求項１または２に記載のカメラスタンド。
【請求項４】
２本のスタンド脚は、スタンド本体の一側と他側とに、それぞれのスタンド脚の基端を前記スタンド本体の側面の基端部に枢支されて設けられており、不使用時に、スタンド本体の両側面にそれぞれ沿わせて回動されることを特徴とする請求項３に記載のカメラスタンド。
【請求項５】
スタンド脚は、その基端をスタンド本体の側面の基端部に、前記スタンド本体の左右方向に沿う水平軸と、前記水平軸に対して直交する軸とを中心として２つの方向に回動可能に枢支されていることを特徴とする請求項４に記載のカメラスタンド。
【請求項６】
スタンド脚は、その基端をスタンド本体の側面の基端部に、その側面の外方に向かって前記スタンド本体の前方に傾いた傾斜軸を中心として回動可能に枢支されていることを特徴とする請求項４に記載のカメラスタンド。
【請求項７】
２本のスタンド脚は、スタンド本体の基端部を起伏回動可能に支持するベース部材に、それぞれのスタンド脚の基端を前記ベース部材の周方向に回動可能に支持されて設けられており、不使用時に、両方のスタンド脚を平行に並べた閉脚状態に回動されることを特徴とする請求項３に記載のカメラスタンド。
【請求項８】
スタンド本体は、不使用時に、閉脚状態に回動された２本のスタンド脚の上に倒伏されることを特徴とする請求項７に記載のカメラスタンド。
【請求項９】
スタンド本体は、不使用時に、２本のスタンド脚の間に倒伏され、閉脚状態に回動された前記２本のスタンド脚間に格納されることを特徴とする請求項７に記載のカメラスタンド。
【請求項１０】
２本のスタンド脚の閉脚状態において互いに向き合う側面にそれぞれスタンド本体収容部が設けられており、スタンド本体は、前記２本のスタンド脚間に、これらのスタンド脚のスタンド本体収容部に収容されて格納されることを特徴とする請求項９に記載のカメラスタンド。
【請求項１１】
スタンド本体は、カメラ支持アーム及びその先端のカメラホルダに装着されたデジタルカメラとともに２本のスタンド脚のスタンド本体収容部に収容されることを特徴とする請求項１０に記載のカメラスタンド。
【請求項１２】
２本のスタンド脚のうち、一方のスタンド脚は、スタンド本体の前方の領域の一側に沿わせて張出され、他方のスタンド脚は、前記スタンド本体の左右方向に沿わせて前記スタンド本体の他側の外方に張出されることを特徴とする請求項１または２に記載のカメラスタンド。
【請求項１３】
２本のスタンド脚は、スタンド本体の一側または両側に、それぞれのスタンド脚の基端を前記スタンド本体の側面の基端部に枢支されて設けられており、不使用時に、スタンド本体の側面に沿わせて回動されることを特徴とする請求項１２に記載のカメラスタンド。
【請求項１４】
一方のスタンド脚は、その基端をスタンド本体の一側面の基端部に、前記スタンド本体の左右方向に沿う水平軸を中心として回動可能に枢支され、他方のスタンド脚は、その基端をスタンド本体の前記一側面または他側面の基端部に、その側面の外方に向かって前記スタンド本体の後方に傾いた傾斜軸を中心として回動可能に枢支されていることを特徴とする請求項１３に記載のカメラスタンド。
【請求項１５】
スタンド本体は、基端部を中心として起立状態と倒伏状態とに回動される第１のスタンド部材と、前記第１のスタンド部材にその長さ方向にスライド可能に設けられた第２のスタンド部材とからなっており、前記第２のスタンド部材の先端部にカメラ支持アームの基端が枢支されていることを特徴とする請求項１または２に記載のカメラスタンド。
【請求項１６】
カメラ支持アームは、不使用時に、スタンド本体に沿わせて格納されることを特徴とする請求項１または２に記載のカメラスタンド。
【請求項１７】
カメラ支持アームは、スタンド本体の前面に回動され、前記スタンド本体の前面に沿わせて格納されることを特徴とする請求項１６に記載のカメラスタンド。
【請求項１８】
カメラ支持アームは、その先端のカメラホルダに装着されたデジタルカメラとともに前記スタンド本体の前面に沿わせて格納されることを特徴とする請求項１７に記載のカメラスタンド。
【請求項１９】
スタンド本体の前面にアーム収容部が設けられており、カメラ支持アームは、前記アーム収容部内に格納されることを特徴とする請求項１６に記載のカメラスタンド。
【請求項２０】
カメラ支持アームは、その先端のカメラホルダに装着されたデジタルカメラとともにスタンド本体のアーム収容部に収容されることを特徴とする請求項１９に記載のカメラスタンド。
【請求項２１】
スタンド本体は、基端部を中心として起立状態と倒伏状態とに回動される第１のスタンド部材と、前記第１のスタンド部材にその長さ方向にスライド可能に設けられた第２のスタンド部材とからなっており、前記第２のスタンド部材の先端部にカメラ支持アームの基端が枢支され、前記第２のスタンド部材にアーム収容部が設けられていることを特徴とする請求項２０に記載のカメラスタンド。
【請求項２２】
スタンド本体は、基端部を中心として起立状態と倒伏状態とに回動される筒状の第１のスタンド部材と、前記第１のスタンド部材内にその長さ方向にスライド可能に設けられた第２のスタンド部材とからなっており、カメラ支持アームは、その基端を前記第２のスタンド部材の先端部に枢支され、前記第２のスタンド部材とともに前記第１のスタンド部材の長さ内に収容されて、前記スタンド本体に沿わせて格納されることを特徴とする請求項１６に記載のカメラスタンド。
【請求項２３】
カメラ支持アームは、その先端のカメラホルダに装着されたデジタルカメラを第１のスタンド部材外に残して前記第１のスタンド部材の長さ内に収容され、前記第１のスタンド部材外に残されたデジタルカメラは、カメラ保護キャップにより覆われることを特徴とする請求項２２に記載のカメラスタンド。
【請求項２４】
カメラ支持アームは、基端をスタンド本体の先端部に前記スタンド本体の左右方向に沿う水平なアーム支軸を中心として回動可能に枢支されたアーム部と、このアーム部の先端に、前記アーム部の長さ方向に対して左右方向に回動可能に設けられたカメラホルダとからなっていることを特徴とする請求項３に記載のカメラスタンド。
【請求項２５】
カメラ支持アームは、基端をスタンド本体の先端部に前記スタンド本体の左右方向に沿う水平なアーム支軸を中心として回動可能に枢支されたアーム部と、このアーム部の先端に、前記アーム支軸と平行なホルダ支軸を中心として回動可能に設けられたカメラホルダとからなっていることを特徴とする請求項１２に記載のカメラスタンド。
【請求項２６】
カメラホルダは、アーム部に対してその周方向に回動可能に設けられていることを特徴とする請求項２４または２５に記載のカメラスタンド。
【請求項２７】
スタンド脚とスタンド本体のいずれかの内部に、カメラ支持アームのカメラホルダに装着されたデジタルカメラを外部機器に接続するための外部側コネクタが設けられ、前記カメラホルダに、前記デジタルカメラに設けられた外部機器接続コネクタに接続されるカメラ側コネクタが設けられ、前記外部側コネクタと前記カメラ側コネクタとが電気的に接続されていることを特徴とする請求項１または２に記載のカメラスタンド。
【請求項２８】
スタンド脚とスタンド本体のいずれかの内部に、デジタルカメラに充電するための充電回路が設けられ、この充電回路が、カメラホルダに設けられたカメラ側コネクタに接続されていることを特徴とする請求項２７に記載のカメラスタンド。
【発明の詳細な説明】
【技術分野】
【０００１】
この発明は、デジタルカメラを利用して書画原稿を撮像するためのカメラスタンドに関する。
【背景技術】
【０００２】
書画原稿を撮像するための原稿撮像装置としては、従来、上面に書画原稿が置かれる原稿台の後端部にカメラ支持アームを立設し、このカメラ支持アームの上端に専用の電子カメラを設けたものがある（特許文献１参照）。
【先行技術文献】
【特許文献】
【０００３】
【特許文献１】特開２００２―２８１３４９号公報
【発明の概要】
【発明が解決しようとする課題】
【０００４】
しかし、上記原稿撮像装置は、専用の電子カメラを備えたものであるため、価格が非常に高く、また、原稿台の上方にカメラ支持アームが突出しているため、持ち運びに不便であるという問題をもっている。
【０００５】
この発明は、市販のデジタルカメラを利用して書画原稿を撮像させるようにした、安価で、しかも持ち運びが容易なカメラスタンドを提供することを目的としたものである。
【課題を解決するための手段】
【０００６】
この発明のカメラスタンドは、基端部を中心として起立状態と倒伏状態とに回動されるスタンド本体と、前記スタンド本体の基端部からその外方に向かって互いに離間する方向に開脚させて張出される２本のスタンド脚と、先端にデジタルカメラを着脱可能に支持するカメラホルダを有し、基端を前記スタンド本体の先端部に枢支されたカメラ支持アームとを備え、使用時に、前記２本のスタンド脚を前記スタンド本体の基端部の外方に開脚させて張出させた状態でスタンド載置面上に置かれて、前記カメラホルダに装着されたデジタルカメラによる前記スタンド載置面上に置かれた書画原稿の撮像を行なわせ、不使用時に、前記スタンド本体と前記２本のスタンド脚とを互いに平行にした状態に折り畳まれることを特徴とする。
【０００７】
この発明のカメラスタンドは、使用時に、前記スタンド本体を前記スタンド載置面に対して起立回動されるとともに、前記カメラ支持アームを前記起立回動されたスタンド本体の前方に張出し回動され、不使用時に、前記カメラ支持アームを、前記スタンド本体に沿わせて格納されるか、あるいは前記スタンド本体の先端から前記スタンド本体の延長線に沿わせて張出されるとともに、前記２本のスタンド脚と前記スタンド本体の一方を他方に沿わせて回動される構成とするのが望ましい。
【０００８】
また、この発明のカメラスタンドにおいて、前記２本のスタンド脚は、前記スタンド本体の前方の領域に対してその一側の外方と他側の外方とにそれぞれ斜めに傾いた開脚状態で張出させるのが望ましい。
【０００９】
その場合は、前記２本のスタンド脚を、前記スタンド本体の一側と他側とに、それぞれのスタンド脚の基端を前記スタンド本体の側面の基端部に枢支させて設け、不使用時に、前記スタンド本体の両側面にそれぞれ沿わせて回動させるようにするのが望ましい。
【００１０】
さらにその場合は、前記スタンド脚の基端を、前記スタンド本体の側面の基端部に、前記スタンド本体の左右方向に沿う水平軸と、前記水平軸に対して直交する軸とを中心として２つの方向に回動可能に枢支させるか、あるいは、前記スタンド脚の基端を、前記スタンド本体の側面の基端部に、その側面の外方に向かって前記スタンド本体の前方に傾いた傾斜軸を中心として回動可能に枢支させるのが望ましい。
【００１１】
また、上記のように前記２本のスタンド脚を前記スタンド本体の前方の領域に対してその一側の外方と他側の外方とにそれぞれ斜めに傾いた開脚状態で張出させる場合は、前記２本のスタンド脚を、前記スタンド本体の基端部を起伏回動可能に支持するベース部材に、それぞれのスタンド脚の基端を前記ベース部材の周方向に回動可能に支持させて設け、不使用時に、両方のスタンド脚を平行に並べた閉脚状態に回動させるようにしてもよい。
【００１２】
その場合、前記スタンド本体は、不使用時に、閉脚状態に回動された前記２本のスタンド脚の上に倒伏させるようにしても、前記２本のスタンド脚の間に倒伏させ、閉脚状態に回動された前記２本のスタンド脚間に格納させるようにしてもよい。
【００１３】
また、不使用時に前記スタンド本体を前記２本のスタンド脚の間に倒伏させて閉脚状態に回動された前記２本のスタンド脚間に格納させる場合は、前記２本のスタンド脚の閉脚状態において互いに向き合う側面にそれぞれスタンド本体収容部を設け、前記スタンド本体を、前記２本のスタンド脚間に、これらのスタンド脚のスタンド本体収容部に収容させて格納させるようにするのが好ましい。
【００１４】
さらに、前記スタンド本体は、前記カメラ支持アーム及びその先端のカメラホルダに装着されたデジタルカメラとともに前記２本のスタンド脚のスタンド本体収容部に収容させるのが好ましい。
【００１５】
この発明のカメラスタンドにおいて、前記２本のスタンド脚は、そのうちの一方のスタンド脚を前記スタンド本体の前方の領域の一側に沿わせて張出させ、他方のスタンド脚を前記スタンド本体の左右方向に沿わせて前記スタンド本体の他側の外方に張出させるようにしてもよい。
【００１６】
その場合は、前記２本のスタンド脚を、前記スタンド本体の一側または両側に、それぞれのスタンド脚の基端を前記スタンド本体の側面の基端部に枢支させて設け、不使用時に、前記スタンド本体の側面に沿わせて回動させるようにするのが望ましい。
【００１７】
さらにその場合、前記一方のスタンド脚は、その基端を前記スタンド本体の一側面の基端部に、前記スタンド本体の左右方向に沿う水平軸を中心として回動可能に枢支させ、他方のスタンド脚は、その基端を前記スタンド本体の前記一側面または他側面の基端部に、その側面の外方に向かって前記スタンド本体の後方に傾いた傾斜軸を中心として回動可能に枢支させるのが望ましい。
【００１８】
また、この発明のカメラスタンドにおいて、前記スタンド本体は、基端部を中心として起立状態と倒伏状態とに回動される第１のスタンド部材と、前記第１のスタンド部材にその長さ方向にスライド可能に設けられた第２のスタンド部材とにより構成するのが望ましい。
【００１９】
さらに、この発明のカメラスタンドにおいて、不使用時に前記カメラ支持アームを前記スタンド本体に沿わせて格納させる場合、前記カメラ支持アームは、前記スタンド本体の前面に回動させ、前記スタンド本体の前面に沿わせて格納させるようにするのが望ましい。
【００２０】
その場合、前記カメラ支持アームは、その先端のカメラホルダに装着されたデジタルカメラとともに前記スタンド本体の前面に沿わせて格納させるようにするのが好ましい。
【００２１】
また、不使用時に前記カメラ支持アームを前記スタンド本体に沿わせて格納させる場合は、前記スタンド本体の前面にアーム収容部を設け、前記カメラ支持アームを、前記アーム収容部内に格納させるようにするのが望ましい。
【００２２】
その場合、前記カメラ支持アームは、その先端のカメラホルダに装着されたデジタルカメラとともに前記スタンド本体のアーム収容部に収容させるようにするのが好ましい。
【００２３】
さらに、不使用時に前記カメラ支持アームを前記スタンド本体に沿わせて格納させる場合は、上記のように、前記スタンド本体を、基端部を中心として起立状態と倒伏状態とに回動される筒状の第１のスタンド部材と、前記第１のスタンド部材内にその長さ方向にスライド可能に設けられた第２のスタンド部材とにより構成し、前記第２のスタンド部材の先端部に前記カメラ支持アームの基端を枢支させるとともに、前記カメラ支持アームを、前記第２のスタンド部材とともに前記第１のスタンド部材の長さ内に収容させて前記スタンド本体に沿わせて格納させるようにするのが望ましい。
【００２４】
その場合は、前記カメラ支持アームを、その先端のカメラホルダに装着されたデジタルカメラを前記第１のスタンド部材外に残して前記第１のスタンド部材の長さ内に収容させ、前記第１のスタンド部材外に残されたデジタルカメラを、カメラ保護キャップにより覆わせるのが望ましい。
【００２５】
さらに、この発明のカメラスタンドにおいて、上記のように、前記２本のスタンド脚を前記スタンド本体の前方の領域に対してその一側の外方と他側の外方とにそれぞれ斜めに傾いた開脚状態で張出させる場合は、前記カメラ支持アームを、基端を前記スタンド本体の先端部に前記スタンド本体の左右方向に沿う水平なアーム支軸を中心として回動可能に枢支されたアーム部と、このアーム部の先端に、前記アーム部の長さ方向に対して左右方向に回動可能に設けられたカメラホルダとにより構成するのが望ましい。
【００２６】
また、この発明のカメラスタンドにおいて、上記のように、一方のスタンド脚を前記スタンド本体の前方の領域の一側に沿わせて張出させ、他方のスタンド脚を前記スタンド本体の左右方向に沿わせて前記スタンド本体の他側の外方に張出させるようにする場合は、前記カメラ支持アームを、基端を前記スタンド本体の先端部に前記スタンド本体の左右方向に沿う水平なアーム支軸を中心として回動可能に枢支されたアーム部と、このアーム部の先端に、前記アーム支軸と平行なホルダ支軸を中心として回動可能に設けられたカメラホルダとにより構成するのが望ましい。
【００２７】
さらにまた、前記２本のスタンド脚を前記スタンド本体の前方の領域に対してその一側の外方と他側の外方とにそれぞれ斜めに傾いた開脚状態で張出させる場合も、一方のスタンド脚を前記スタンド本体の前方の領域の一側に沿わせて張出させ、他方のスタンド脚を前記スタンド本体の左右方向に沿わせて前記スタンド本体の他側の外方に張出させるようにする場合も、前記カメラホルダは、前記アーム部に対してその周方向に回動可能に設けるのが望ましい。
【００２８】
また、この発明のカメラスタンドは、前記スタンド脚と前記スタンド本体のいずれかの内部に、前記カメラ支持アームのカメラホルダに装着されたデジタルカメラを外部機器に接続するための外部側コネクタを設け、前記カメラホルダに、前記デジタルカメラに設けられた外部機器接続コネクタに接続されるカメラ側コネクタを設け、前記外部側コネクタと前記カメラ側コネクタとを電気的に接続した構成とするのが望ましい。
【００２９】
さらに、この発明のカメラスタンドは、前記スタンド脚と前記スタンド本体のいずれかの内部に、デジタルカメラに充電するための充電回路を設け、この充電回路を、前記カメラホルダに設けられた前記カメラ側コネクタに接続した構成とするのが好ましい。
【発明の効果】
【００３０】
この発明のカメラスタンドは、基端部を中心として起立状態と倒伏状態とに回動されるスタンド本体と、前記スタンド本体の基端部からその外方に向かって互いに離間する方向に開脚させて張出される２本のスタンド脚と、先端にデジタルカメラを着脱可能に支持するカメラホルダを有し、基端を前記スタンド本体の先端部に枢支されたカメラ支持アームとを備え、使用時に、前記２本のスタンド脚を前記スタンド本体の基端部の外方に開脚させて張出させた状態でスタンド載置面上に置かれて、前記カメラホルダに装着されたデジタルカメラによる前記スタンド載置面上に置かれた書画原稿の撮像を行なわせるものであるため、前記カメラホルダに市販のデジタルカメラを装着させ、そのデジタルカメラを利用して前記スタンド載置面上に置かれた書画原稿を撮像させることができ、したがって、このカメラスタンドの価格は前記デジタルカメラを含まない安価な価格である。
【００３１】
しかも、このカメラスタンドは、不使用時に、前記スタンド本体と前記２本のスタンド脚とを互いに平行にした状態に折り畳むことができるため、持ち運びが容易である。
【００３２】
さらに、このカメラスタンドは、前記カメラ支持アームの先端のカメラホルダにデジタルカメラを着脱可能に支持させるようにしているため、前記デジタルカメラを、前記カメラホルダから取外して単独で使用することができる。
【００３３】
この発明のカメラスタンドは、使用時に、前記スタンド本体を前記スタンド載置面に対して起立回動されるとともに、前記カメラ支持アームを前記起立回動されたスタンド本体の前方に張出し回動され、不使用時に、前記カメラ支持アームを、前記スタンド本体に沿わせて格納されるか、あるいは前記スタンド本体の先端から前記スタンド本体の延長線に沿わせて張出されるとともに、前記２本のスタンド脚と前記スタンド本体の一方を他方に沿わせて回動される構成とするのが望ましく、このようにすることにより、使用時に、前記カメラホルダに装着されたデジタルカメラによる前記スタンド載置面上に置かれた書画原稿の撮像を行なわせ、不使用時に、前記スタンド本体と前記２本のスタンド脚とを互いに平行にした状態に折り畳むことができる。
【００３４】
この発明のカメラスタンドにおいて、前記２本のスタンド脚は、前記スタンド本体の前方の領域に対してその一側の外方と他側の外方とにそれぞれ斜めに傾いた開脚状態で張出させるのが望ましく、このようにすることにより、起立回動された前記スタンド本体を前記２本のスタンド脚により安定に支えることができる。
【００３５】
その場合は、前記２本のスタンド脚を、前記スタンド本体の一側と他側とに、それぞれのスタンド脚の基端を前記スタンド本体の側面の基端部に枢支させて設け、不使用時に、前記スタンド本体の両側面にそれぞれ沿わせて回動させるようにするのが望ましく、このようにすることにより、カメラスタンドを、前記２本のスタンド脚を前記スタンド本体の両側面に格納したコンパクトな形状に折り畳むことができる。
【００３６】
さらにその場合は、前記スタンド脚の基端を、前記スタンド本体の側面の基端部に、前記スタンド本体の左右方向に沿う水平軸と、前記水平軸に対して直交する軸とを中心として２つの方向に回動可能に枢支させるか、あるいは、前記スタンド脚の基端を、前記スタンド本体の側面の基端部に、その側面の外方に向かって前記スタンド本体の前方に傾いた傾斜軸を中心として回動可能に枢支させるのが望ましく、このようにすることにより、前記スタンド本体の基端部の外方への前記２本のスタンド脚の開脚張出しと、前記スタンド本体の両側面への前記２本のスタンド脚の格納を、前記スタンド脚を回動させるだけの操作で容易に行なうことができる。
【００３７】
また、上記のように前記２本のスタンド脚を前記スタンド本体の前方の領域に対してその一側の外方と他側の外方とにそれぞれ斜めに傾いた開脚状態で張出させる場合は、前記２本のスタンド脚を、前記スタンド本体の基端部を起伏回動可能に支持するベース部材に、それぞれのスタンド脚の基端を前記ベース部材の周方向に回動可能に支持させて設け、不使用時に、両方のスタンド脚を平行に並べた閉脚状態に回動させるようにしてもよく、このようにすることにより、前記スタンド本体の基端部の外方への前記２本のスタンド脚の開脚張出しと、前記スタンド本体の両側面への前記２本のスタンド脚の格納を、前記スタンド脚を回動させるだけの簡単な操作で行なうことができる。
【００３８】
その場合、前記スタンド本体は、不使用時に、閉脚状態に回動された前記２本のスタンド脚の上に倒伏させるようにしても、前記２本のスタンド脚の間に倒伏させ、閉脚状態に回動された前記２本のスタンド脚間に格納させるようにしてもよく、前記スタンド本体を閉脚状態に回動された前記２本のスタンド脚の上に倒伏させるようにすることにより、カメラスタンドを、前記２本のスタンド脚の上に前記スタンド本体を重ねて格納したコンパクトな形状に折り畳むことができ、また、前記スタンド本体を、前記２本のスタンド脚の間に倒伏させて閉脚状態に回動された前記２本のスタンド脚間に格納させるようにすることにより、カメラスタンドを、前記２本のスタンド脚間に前記スタンド本体を格納したコンパクトな形状に折り畳むことができる。
【００３９】
また、不使用時に前記スタンド本体を前記２本のスタンド脚の間に倒伏させて閉脚状態に回動された前記２本のスタンド脚間に格納させる場合は、前記２本のスタンド脚の閉脚状態において互いに向き合う側面にそれぞれスタンド本体収容部を設け、前記スタンド本体を、前記２本のスタンド脚間に、これらのスタンド脚のスタンド本体収容部に収容させて格納させるようにするのが好ましく、このようにすることにより、カメラスタンドを、コンパクトで、しかも外観がシンプルな形状に折り畳むことができる。
【００４０】
さらに、前記スタンド本体は、前記カメラ支持アーム及びその先端のカメラホルダに装着されたデジタルカメラとともに前記２本のスタンド脚のスタンド本体収容部に収容させるのが好ましく、このようにすることにより、前記カメラ支持アームのカメラホルダに前記デジタルカメラを装着したままカメラスタンドを折り畳むことができる。
【００４１】
この発明のカメラスタンドにおいて、前記２本のスタンド脚は、そのうちの一方のスタンド脚を前記スタンド本体の前方の領域の一側に沿わせて張出させ、他方のスタンド脚を前記スタンド本体の左右方向に沿わせて前記スタンド本体の他側の外方に張出させるようにしてもよく、このようにすることにより、起立回動された前記スタンド本体を前記２本のスタンド脚により安定に支えることができる。
【００４２】
その場合は、前記２本のスタンド脚を、前記スタンド本体の一側または両側に、それぞれのスタンド脚の基端を前記スタンド本体の側面の基端部に枢支させて設け、不使用時に、前記スタンド本体の側面に沿わせて回動させるようにするのが望ましく、このようにすることにより、カメラスタンドを、前記２本のスタンド脚を前記スタンド本体の側面に格納したコンパクトな形状に折り畳むことができる。
【００４３】
さらにその場合、前記一方のスタンド脚は、その基端を前記スタンド本体の一側面の基端部に、前記スタンド本体の左右方向に沿う水平軸を中心として回動可能に枢支させ、他方のスタンド脚は、その基端を前記スタンド本体の前記一側面または他側面の基端部に、その側面の外方に向かって前記スタンド本体の後方に傾いた傾斜軸を中心として回動可能に枢支させるのが望ましく、前記スタンド本体の基端部の外方への前記２本のスタンド脚の開脚張出しと、前記スタンド本体の両側面への前記２本のスタンド脚の格納を、前記スタンド脚を回動させるだけの簡単な操作で行なうことができる。
【００４４】
また、この発明のカメラスタンドにおいて、前記スタンド本体は、基端部を中心として起立状態と倒伏状態とに回動される第１のスタンド部材と、前記第１のスタンド部材にその長さ方向にスライド可能に設けられた第２のスタンド部材とにより構成するのが望ましく、このようにすることにより、使用時に、前記スタンド本体を伸長させ、スタンド載置面から充分に離れた高さにデジタルカメラを支持して、前記スタンド載置面上に置かれた書画原稿を撮像させることができるとともに、不使用時に、前記スタンド本体を縮小し、カメラスタンドをコンパクトに折り畳むことができる。
【００４５】
さらに、この発明のカメラスタンドにおいて、不使用時に前記カメラ支持アームを前記スタンド本体に沿わせて格納させる場合、前記カメラ支持アームは、例えば、前記スタンド本体の前面に回動させ、前記スタンド本体の前面に沿わせて格納させるようにするのが望ましく、このようにすることにより、カメラスタンドを、前記スタンド本体の前面に沿わせて前記カメラ支持アームを格納し、前記スタンド本体と前記２本のスタンド脚とを互いに平行にしてコンパクトに折り畳むことができる。
【００４６】
その場合、前記カメラ支持アームは、その先端のカメラホルダに装着されたデジタルカメラとともに前記スタンド本体の前面に沿わせて格納させるようにするのが望ましく、このようにすることにより、前記カメラ支持アームのカメラホルダに前記デジタルカメラを装着したままカメラスタンドを折り畳むことができる。
【００４７】
また、不使用時に前記カメラ支持アームを前記スタンド本体に沿わせて格納させる場合は、前記スタンド本体の前面にアーム収容部を設け、前記カメラ支持アームを、前記アーム収容部内に格納させるようにするのが望ましく、このようにすることにより、カメラスタンドを、薄く潰した形状に折り畳むことができる。
【００４８】
その場合、前記カメラ支持アームは、その先端のカメラホルダに装着されたデジタルカメラとともに前記スタンド本体のアーム収容部に収容させるようにするのが好ましく、このようにすることにより、前記カメラ支持アームのカメラホルダに前記デジタルカメラを装着したままカメラスタンドを折り畳むことができる。
【００４９】
さらに、不使用時に前記カメラ支持アームを前記スタンド本体に沿わせて格納させる場合は、上記のように、前記スタンド本体を、基端部を中心として起立状態と倒伏状態とに回動される筒状の第１のスタンド部材と、前記第１のスタンド部材内にその長さ方向にスライド可能に設けられた第２のスタンド部材とにより構成し、前記第２のスタンド部材の先端部に前記カメラ支持アームの基端を枢支させるとともに、前記カメラ支持アームを、前記第２のスタンド部材とともに前記第１のスタンド部材の長さ内に収容させて前記スタンド本体に沿わせて格納させるようにするのが望ましく、このようにすることにより、カメラスタンドを、薄く、しかも長さを短くした形状に折り畳むことができる。
【００５０】
その場合は、前記カメラ支持アームを、その先端のカメラホルダに装着されたデジタルカメラを前記第１のスタンド部材外に残して前記第１のスタンド部材の長さ内に収容させ、前記第１のスタンド部材外に残されたデジタルカメラを、カメラ保護キャップにより覆わせるのが望ましく、このようにすることにより、前記第１のスタンド部材内の前記第２のスタンド部材及びカメラ支持アームの収容空間を、前記デジタルカメラの形状を考慮しない簡単な形状にするとともに、不使用時に、前記第１のスタンド部材外に残された前記デジタルカメラを、前記カメラ保護キャップにより保護することができる。
【００５１】
さらに、この発明のカメラスタンドにおいて、上記のように、前記２本のスタンド脚を前記スタンド本体の前方の領域に対してその一側の外方と他側の外方とにそれぞれ斜めに傾いた開脚状態で張出させる場合は、前記カメラ支持アームを、基端を前記スタンド本体の先端部に前記スタンド本体の左右方向に沿う水平なアーム支軸を中心として回動可能に枢支されたアーム部と、このアーム部の先端に、前記アーム部の長さ方向に対して左右方向に回動可能に設けられたカメラホルダとにより構成するのが望ましく、このようにすることにより、前記カメラホルダに支持されたデジタルカメラのスタンド載置面に対する高さ、つまり前記スタンド載置面上に置かれた書画原稿の撮像距離を任意に調整させることができるとともに、前記スタンド載置面上の前記２本のスタンド脚の間の部分に書画原稿をその２つの辺を前記２本のスタンド脚の長さ方向に沿わせて置かせ、前記カメラホルダを前記アーム部の長さ方向に対して左右方向に回動させることにより、前記デジタルカメラの撮像画面の向きを前記書画原稿の向きに合わせて調整させて、前記書画原稿を撮像させることができる。
【００５２】
また、この発明のカメラスタンドにおいて、上記のように、一方のスタンド脚を前記スタンド本体の前方の領域の一側に沿わせて張出させ、他方のスタンド脚を前記スタンド本体の左右方向に沿わせて前記スタンド本体の他側の外方に張出させるようにする場合は、前記カメラ支持アームを、基端を前記スタンド本体の先端部に前記スタンド本体の左右方向に沿う水平なアーム支軸を中心として回動可能に枢支されたアーム部と、このアーム部の先端に、前記アーム支軸と平行なホルダ支軸を中心として回動可能に設けられたカメラホルダとにより構成するのが望ましく、このようにすることにより、前記カメラホルダに支持されたデジタルカメラのスタンド載置面に対する高さ（スタンド載置面上に置かれた書画原稿の撮像距離）を任意に調整させることができるとともに、前記スタンド載置面上の前記２本のスタンド脚の間の部分に書画原稿をその２つの辺を前記２本のスタンド脚の長さ方向に沿わせて置かせ、その書画原稿を撮像させることができる。
【００５３】
さらにまた、前記２本のスタンド脚を前記スタンド本体の前方の領域に対してその一側の外方と他側の外方とにそれぞれ斜めに傾いた開脚状態で張出させる場合も、一方のスタンド脚を前記スタンド本体の前方の領域の一側に沿わせて張出させ、他方のスタンド脚を前記スタンド本体の左右方向に沿わせて前記スタンド本体の他側の外方に張出させるようにする場合も、前記カメラホルダは、前記アーム部に対してその周方向に回動可能に設けるのが望ましく、このようにすることにより、前記デジタルカメラによる前記書画原稿の撮像角を任意に調整させることできるとともに、前記デジタルカメラを任意の方向に向けさせて、スタンド載置面上の書画原稿以外の被写体を撮像させることもできる。
【００５４】
また、この発明のカメラスタンドは、前記スタンド脚と前記スタンド本体のいずれかの内部に、前記カメラ支持アームのカメラホルダに装着されたデジタルカメラを外部機器に接続するための外部側コネクタを設け、前記カメラホルダに、前記デジタルカメラに設けられた外部機器接続コネクタに接続されるカメラ側コネクタを設け、前記外部側コネクタと前記カメラ側コネクタとを電気的に接続した構成とするのが望ましく、このようにすることにより、前記カメラホルダに装着されたデジタルカメラを、カメラスタンドを介して外部機器に接続することができる。
【００５５】
さらに、この発明のカメラスタンドは、前記スタンド脚と前記スタンド本体のいずれかの内部に、デジタルカメラに充電するための充電回路を設け、この充電回路を、前記カメラホルダに設けられた前記カメラ側コネクタに接続した構成とするのが好ましく、このようにすることにより、カメラスタンドを、前記デジタルカメラへの充電にも利用することができる。
【図面の簡単な説明】
【００５６】
【図１】第１の実施例のカメラスタンドの使用状態の斜視図。
【図２】第１の実施例のカメラスタンドの折り畳み途中の状態の斜視図。
【図３】第１の実施例のカメラスタンドの折り畳み状態の斜視図。
【図４】第１の実施例のカメラスタンドのカメラホルダの分解斜視図。
【図５】第１の実施例のカメラスタンドの電気回路と外部機器の接続例を示すブロック図。
【図６】第２の実施例のカメラスタンドの使用状態の斜視図。
【図７】第２の実施例のカメラスタンドの折り畳み状態の斜視図。
【図８】第２の実施例のカメラスタンドの折り畳み状態の平面図。
【図９】第３の実施例のカメラスタンドの使用状態の斜視図。
【図１０】第３の実施例のカメラスタンドの折り畳み途中の状態の斜視図。
【図１１】第３の実施例のカメラスタンドの折り畳み状態の斜視図。
【図１２】第４の実施例のカメラスタンドの使用状態の斜視図。
【図１３】第４の実施例のカメラスタンドの折り畳み途中の状態の斜視図。
【図１４】第４の実施例のカメラスタンドの折り畳み状態の斜視図。
【図１５】第５の実施例のカメラスタンドの使用状態の斜視図。
【図１６】第５の実施例のカメラスタンドの折り畳み途中の状態の斜視図。
【図１７】第５の実施例のカメラスタンドの折り畳み状態の斜視図。
【図１８】第６の実施例のカメラスタンドの使用状態の斜視図。
【図１９】第６の実施例のカメラスタンドの折り畳み途中の状態の斜視図。
【図２０】第６の実施例のカメラスタンドの折り畳み状態の斜視図。
【図２１】第７の実施例のカメラスタンドの使用状態の斜視図。
【図２２】第７の実施例のカメラスタンドの折り畳み状態の斜視図。
【図２３】第７の実施例のカメラスタンドのスタンド本体に対する２本のスタンド脚の枢支状態を示す図。
【発明を実施するための形態】
【００５７】
（第１の実施例）
図１〜図５はこの発明の第１の実施例を示しており、図１はカメラスタンドの使用状態の斜視図、図２は前記カメラスタンドの折り畳み途中の状態の斜視図、図３は前記カメラスタンドの折り畳み状態の斜視図である。
【００５８】
このカメラスタンドは、図１〜図３に示したように、基端部を中心として起立状態と倒伏状態とに回動されるスタンド本体１０と、前記スタンド本体１０の基端部からその外方に向かって互いに離間する方向に所定の範囲の開き角、例えば９０°±０°の範囲の開き角で開脚させて張出される２本のスタンド脚１４と、先端に市販のデジタルカメラ１を着脱可能に支持するカメラホルダ１９を有し、基端を前記スタンド本体１０の先端部に枢支されたカメラ支持アーム１６とを備えている。
【００５９】
なお、前記デジタルカメラ１は、例えば、幅８７ｍｍ、高さ５４ｍｍ、厚さ２２．９ｍｍの薄型デジタルカメラであり、その前面に、電源オフ時にカメラ内に引き込み格納され、電源オン時にカメラ前面から突出されるズーミング型撮像レンズ２、光学ファインダ対物窓３ａ、ストロボライト４（図１０参照）及び補助照明用ライト（図示せず）が設けられ、後面に、光学ファインダ接眼窓３ｂ、モニタディスプレイ５、モード選択部６及びズーミングボタン７が設けられ、上面に、シャッタボタン８及び電源スイッチ（図示せず）が設けられ、底面に、三脚取付け用ねじ孔（図示せず）と外部機器接続コネクタ９（図５参照）が設けられている。
【００６０】
前記スタンド本体１０は、基端部を中心として起立状態と倒伏状態とに回動される第１のスタンド部材１１と、前記第１のスタンド部材１１にその長さ方向にスライド可能に設けられた第２のスタンド部材１２とからなっている。
【００６１】
前記第１のスタンド部材１１は、前面の基端部と両側縁部を除いた中央部に、先端に開放する矩形状凹部が設けられた矩形状部材からなっており、前記第２のスタンド部材１２は、前記第１のスタンド部材１１の矩形状凹部内に収まる厚さと幅及び長さを有し、前面の基端部と両側縁部を除いた中央部に、前記カメラ支持アーム１６をその先端のカメラホルダ１９に装着されたデジタルカメラ１とともに収容するアーム収容部１３が設けられた矩形状部材からなっている。
【００６２】
なお、前記第２のスタンド部材１２のアーム収容部１３は、前記デジタルカメラ１の厚さ及び幅よりも僅かに大きい深さおよび幅と、前記デジタルカメラ１の高さよりも充分に大きい長さを有している。
【００６３】
そして、前記第２のスタンド部材１２は、前記第１のスタンド部材１１の矩形状凹部内に、その長さ方向にスライド可能に、且つ、図示しないラッチ機構により任意のスライド位置で保持されるように設けられている。
【００６４】
一方、前記２本のスタンド脚１４は、前記スタンド本体１０の第１のスタンド部材１１の基端部の一側と他側とに、それぞれのスタンド脚１４の基端を前記第１のスタンド部材１１の側面の基端部に枢支されて設けられている。
【００６５】
この２本のスタンド脚１４はそれぞれ、前記スタンド本体１０側の側面が直線面に形成された半円形の断面形状を有する棒状部材からなっており、このスタンド脚１４の上下縁間の高さ及び長さは、前記スタンド本体１０の第１のスタンド部材１１の厚さ及び長さと略同じに設定されている。
【００６６】
そして、この実施例では、前記スタンド本体１０の第１のスタンド部材１１の側面の基端部にそれぞれ、前記スタンド本体１０の左右方向に沿う水平軸を中心として回転する回転部材１５を設け、これらの回転部材１５にそれぞれ、前記スタンド本体１０の基端を、前記水平軸に対して直交する軸とを中心として回動可能に枢支させている。
【００６７】
すなわち、前記２本のスタンド脚１４はそれぞれ、その基端を前記スタンド本体１０の側面の基端部に、前記スタンド本体１０の左右方向に沿う水平軸と、前記水平軸に対して直交する軸とを中心として２つの方向に回動可能に枢支され、前記スタンド本体１０の前方の領域に対してその一側の外方と他側の外方とにそれぞれ略同じ角度（２本のスタンド脚１４の開き角の略半部の角度）ずつ斜めに傾いた開脚状態で張出された状態と、前記スタンド本体１０の両側面にそれぞれ沿わせて格納された状態とに回動されるように設けられており、前記スタンド本体１０は、その基端部の両側を前記回転部材１５により枢支され、前記水平軸を中心として起伏回動可能に設けられている。
【００６８】
なお、前記スタンド本体１０は、前記回転部材１５への枢支部に設けられた図示しないラッチ機構により倒伏状態及び任意の起立角の起立状態で保持されるようになっており、前記２本のスタンド脚１４は、前記ラッチ機構によりスタンド本体１０の前方に張出された状態と前記スタンド本体１０に沿わせて回動された状態とに保持されるとともに、前記回転部材１５への枢支部に設けられた図示しないラッチ機構により、前記開脚状態と両方のスタンド脚１４を互いに平行にした閉脚状態とに保持されるようになっている。
【００６９】
また、前記カメラ支持アーム１６は、基端を前記スタンド本体１０の第２のスタンド部材１２の先端部に前記スタンド本体１０の左右方向に沿う水平なアーム支軸１７を中心として回動可能に枢支されたアーム部１６ａと、このアーム部１６ａの先端に円板状の軸部材１８を介して回動可能に設けられたカメラホルダ１９とからなっており、前記アーム部１６ａとカメラホルダ１９の幅及び前記軸部材１８の直径とこれらの厚さはそれぞれ、前記デジタルカメラ１の幅及び厚さと略同じに設定されている。
【００７０】
なお、前記アーム部１６ａは、前記スタンド本体１０への枢支部に設けられた図示しないラッチ機構により、スタンド本体１０に対して任意の張出し角の張出し状態で保持されるようになっており、前記カメラホルダ１９は、前記軸部材１８の軸受部に設けられた図示しないラッチ機構により、前記アーム部１６ａの長さ方向に対して任意の回動角の回動状態で保持されるようになっている。
【００７１】
さらに、前記カメラホルダ１９は、前記アーム部１６ａの先端の前記軸部材１８に前記アーム部１６ａの長さ方向に対して左右方向に回動可能に支持されたホルダベース部材２０と、このホルダベース部材２０に、カメラホルダ１９の長さ方向に沿う回転軸２２を介して前記アーム部１６ａの周方向に回動可能に設けられ、図示しないラッチ機構により任意の回動状態で保持されるカメラ固定部材２１とからなっている。
【００７２】
すなわち、前記カメラホルダ１９は、前記アーム部１６ａに、このアーム部１６ａの長さ方向に対して左右方向に回動可能に、且つ前記アーム部１６ａその周方向に回動可能に設けられている。
【００７３】
図４は前記カメラホルダ１９の分解斜視図であり、このカメラホルダ１９のカメラ固定部材２１には、前記デジタルカメラ１の三脚取付け用ねじ孔に螺合されて前記デジタルカメラ１を固定するカメラ装着ねじ２３と、前記デジタルカメラ１の外部機器接続コネクタ９に差し込み接続されるカメラ側コネクタ２４が設けられている。
【００７４】
また、前記カメラホルダ１９のホルダベース部材２０またはカメラ固定部材２１には、前記デジタルカメラ１により撮像する書画原稿Ａを照明するための原稿照明ライト２５（図５参照）が設けられている。
【００７５】
さらに、前記スタンド本体１０には、その第１のスタンド部材１１の一側面に、前記カメラ支持アーム１６のカメラホルダ１９に装着されたデジタルカメラ１を外部機器に接続するための外部側コネクタ２６と、外部のＡＣ（交流）電源にＡＣアダプタ３４（図５参照）を介して接続されるＡＣジャック２７と、前記デジタルカメラ１の電源をオン／オフさせるためのパワーキー２８と、前記カメラホルダ１９に設けられた原稿照明ライト２５を点灯させるためのライトキー２９が設けられている。
【００７６】
図５は前記カメラスタンドの電気回路と外部機器の接続例を示すブロック図であり、前記スタンド本体１０に設けられた外部側コネクタ２６と前記カメラホルダ１９のカメラ固定部材２１に設けられたカメラ側コネクタ２４は、前記スタンド本体１０内及びカメラ支持アーム１６内を通して設けられたＵＳＢ（ユニバーサルシリアルバス）ケーブル３０を介して電気的に接続されている。
【００７７】
また、図５に示したように、前記スタンド本体１０内（例えば第１のスタンド部材１１内）には、前記カメラホルダ１９に装着されたデジタルカメラ１の充電池に充電するための充電回路３１と、前記カメラホルダ１９に設けられた原稿照明ライト２５の駆動回路３２が設けられている。
【００７８】
前記充電回路３１と照明ライト駆動回路３２はそれぞれ前記ＡＣジャック２７に接続されており、また、前記充電回路３１は、前記ＵＳＢケーブル３０に設けられた充電系配線３３を介して前記カメラホルダ１９のカメラ固定部材２１に設けられたカメラ側コネクタ２４に接続され、前記照明ライト駆動回路３２は、前記スタンド本体１０内及びカメラ支持アーム１６内を通して設けられた配線を介して前記原稿照明ライト２５に接続されている。
【００７９】
なお、前記照明ライト駆動回路３２と原稿照明ライト２５は、これらの接続配線を前記ＵＳＢケーブル３０に設けることにより、このＵＳＢケーブル３０を利用して接続してもよい。
【００８０】
また、前記スタンド本体１０に設けられたパワーキー２８は、前記ＵＳＢケーブル３０に設けられたカメラ電源系配線及び端子を介して前記カメラ側コネクタ２４に接続され、前記ライトキー２９は、スタンド本体１０内に設けられた配線を介して前記照明ライト駆動回路３２に接続されている。
【００８１】
一方、前記スタンド本体１０に設けられた前記外部側コネクタ２６には、前記デジタルカメラ１の制御及び前記デジタルカメラ１からの撮像画像データの処理等を行なう外部機器３５が外部機器接続用ＵＳＢケーブル３６を介して接続され、この外部機器３５に、前記外部機器３５から供給される画像信号に応じた画像を液晶表示パネル等の画像表示体により表示し、その表示画像を拡大してスクリーン等の投影面に投影するプロジェクタ３７が、制御信号系ケーブル３８ａ及び画像信号系ケーブル３８ｂを介して接続される。
【００８２】
なお、前記外部機器３５は、例えばパソコン（パーソナルコンピュータ）であり、前記プロジェクタ３７の操作部またはそのリモートコントローラ３７ａの操作により前記プロジェクタ３７から供給される指令信号に応じて、前記デジタルカメラ１の動作を制御するとともに前記デジタルカメラ１からの撮像画像データを処理してその画像信号を前記プロジェクタ３７に供給するプログラムがインストールされている。
【００８３】
このカメラスタンドは、前記カメラ支持アーム１６の先端のカメラホルダ１９に上述した市販のデジタルカメラ１を、その幅方向を前記カメラホルダ１９の左右方向と略平行にして装着し、図示しないテーブル等のスタンド載置面上に置いて使用される。
【００８４】
すなわち、このカメラスタンドは、図１に示したように、前記２本のスタンド脚１４を前記スタンド本体１０の基端部の外方に開脚させて張出させた状態で前記スタンド載置面上に置かれ、前記スタンド本体１０を前記スタンド載置面に対して起立回動され、前記カメラ支持アーム１６を前記起立回動されたスタンド本体１０の前方に張出し回動されて、前記スタンド載置面上に置かれた書画原稿Ａを前記カメラ支持アーム１６の先端のカメラホルダ１９に装着された前記デジタルカメラ１により撮像させるものであり、前記デジタルカメラ１による前記書画原稿Ａの撮像は、前記スタンド本体１０の起立角と、スタンド本体１０に対する前記カメラ支持アーム１６の張出し角を調整し、前記デジタルカメラ１の撮像レンズ２を書画原稿Ａに対向させて行なわれる。
【００８５】
また、このカメラスタンドは、不使用時には、前記カメラ支持アーム１６を、図２に示したように、前記スタンド本体１０の前面のアーム収容部１３内に回動させることにより、このカメラ支持アーム１６を、その先端のカメラホルダ１９に装着されたデジタルカメラ１とともに前記スタンド本体１０に沿わせてそのアーム収容部１３内に格納されるとともに、前記２本のスタンド脚１４をそれぞれ前記スタンド本体１０の両側面に沿わせて回動され、図３に示したように、前記スタンド本体１０と前記２本のスタンド脚１４とを互いに平行にした状態に折り畳まれる。
【００８６】
このカメラスタンドは、基端部を中心として起立状態と倒伏状態とに回動されるスタンド本体１０と、前記スタンド本体１０の基端部からその外方に向かって互いに離間する方向に開脚させて張出される２本のスタンド脚１４と、先端にデジタルカメラ１を着脱可能に支持するカメラホルダ１９を有し、基端を前記スタンド本体１０の先端部に枢支されたカメラ支持アーム１６とを備え、使用時に、前記２本のスタンド脚１４を前記スタンド本体１０の基端部の外方に開脚させて張出させた状態でスタンド載置面上に置かれて、前記カメラホルダ１９に装着されたデジタルカメラ１による前記スタンド載置面上に置かれた書画原稿Ａの撮像を行なわせるものであるため、前記カメラホルダ１９に市販のデジタルカメラ１を装着させ、そのデジタルカメラ１を利用して前記スタンド載置面上に置かれた書画原稿Ａを撮像させることができ、したがって、このカメラスタンドの価格は前記デジタルカメラ１を含まない安価な価格である。
【００８７】
しかも、このカメラスタンドは、不使用時に、前記スタンド本体１０と前記２本のスタンド脚１４とを互いに平行にした状態に折り畳むことができるため、持ち運びが容易である。
【００８８】
さらに、このカメラスタンドは、前記カメラ支持アーム１６の先端のカメラホルダ１９にデジタルカメラ１を着脱可能に支持させるようにしているため、前記デジタルカメラ１を、前記カメラホルダ１９から取外して単独で使用することができる。
【００８９】
また、このカメラスタンドは、前記２本のスタンド脚１４を、前記スタンド本体１０の前方の領域に対してその一側の外方と他側の外方とにそれぞれ斜めに傾いた開脚状態で張出させるようにしているため、起立回動された前記スタンド本体１０を前記２本のスタンド脚１４により安定に支えることができる。
【００９０】
そして、この実施例では、前記２本のスタンド脚１４を、前記スタンド本体１０の一側と他側とに、それぞれのスタンド脚１４の基端を前記スタンド本体１０の側面の基端部に枢支させて設け、不使用時に、前記スタンド本体１０の両側面にそれぞれ沿わせて回動させるようにしているため、図３に示したように、カメラスタンドを、前記２本のスタンド脚１４を前記スタンド本体１０の両側面に格納したコンパクトな形状に折り畳むことができる。
【００９１】
さらに、この実施例では、前記スタンド脚１４の基端を、前記スタンド本体１０の側面の基端部に、前記スタンド本体１０の左右方向に沿う水平軸と、前記水平軸に対して直交する軸とを中心として２つの方向に回動可能に枢支させているため、前記スタンド本体１０の基端部の外方への前記２本のスタンド脚１４の開脚張出しと、前記スタンド本体１０の両側面への前記２本のスタンド脚１４の格納を、前記スタンド脚１４を回動させるだけの操作で容易に行なうことができる。
【００９２】
また、この実施例では、前記スタンド本体１０を、基端部を中心として起立状態と倒伏状態とに回動される第１のスタンド部材１１と、前記第１のスタンド部材１１にその長さ方向にスライド可能に設けられた第２のスタンド部材１２とにより構成しているため、使用時に、前記スタンド本体１０を伸長させ、スタンド載置面から充分に離れた高さにデジタルカメラ１を支持して、前記スタンド載置面上に置かれた書画原稿Ａを撮像させることができるとともに、不使用時に、前記スタンド本体１０を縮小し、カメラスタンドをコンパクトに折り畳むことができる。
【００９３】
さらに、この実施例では、前記スタンド本体１０の前面にアーム収容部１３を設け、不使用時に、前記カメラ支持アーム１６を、前記アーム収容部１３内に格納させるようにしているため、カメラスタンドを、薄く潰した形状に折り畳むことができる。
【００９４】
しかも、この実施例では、前記カメラ支持アーム１６を、その先端のカメラホルダ１９に装着されたデジタルカメラ１とともに前記スタンド本体１０のアーム収容部１３に収容させるようにしているため、前記カメラ支持アーム１６のカメラホルダ１９に前記デジタルカメラ１を装着したままカメラスタンドを折り畳むことができる。
【００９５】
さらに、この実施例では、前記カメラ支持アーム１６を、基端を前記スタンド本体１０の先端部に前記スタンド本体１０の左右方向に沿う水平なアーム支軸１７を中心として回動可能に枢支されたアーム部１６ａと、このアーム部１６ａの先端に、前記アーム部１６ａの長さ方向に対して左右方向に回動可能に設けられたカメラホルダ１９とにより構成しているため、前記カメラホルダ１９に支持されたデジタルカメラ１のスタンド載置面に対する高さ、つまり前記スタンド載置面上に置かれた書画原稿Ａの撮像距離を任意に調整させることができるとともに、前記スタンド載置面上の前記２本のスタンド脚１４の間の部分に書画原稿Ａを、図１に示したように、その２つの辺を前記２本のスタンド脚１４の長さ方向に沿わせて置かせ、前記カメラホルダ１９を前記アーム部１６ａの長さ方向に対して左右方向に回動させることにより、前記デジタルカメラ１の撮像画面の向きを前記書画原稿Ａの向きに合わせて調整させて、前記書画原稿Ａを撮像させることができる。
【００９６】
さらにまた、この実施例では、前記カメラ支持アーム１６のカメラホルダ１９を、前記カメラ支持アーム１６のアーム部１６ａに対してその周方向に回動可能に設けているため、このカメラホルダ１９を前記アーム部１６ａの周方向に回動させて前記デジタルカメラ１による前記書画原稿Ａの撮像角を任意に調整させることできるとともに、前記デジタルカメラ１を任意の方向に向けさせて、スタンド載置面上の書画原稿以外の被写体を撮像させることもできる。
【００９７】
また、この実施例のカメラスタンドは、前記スタンド本体１０の内部に、前記カメラ支持アーム１６のカメラホルダ１９に装着されたデジタルカメラ１を外部機器３５に接続するための外部側コネクタ２６を設け、前記カメラホルダ１９に、前記デジタルカメラ１に設けられた外部機器接続コネクタ９に接続されるカメラ側コネクタ２４を設け、前記外部側コネクタ２６と前記カメラ側コネクタ２４とを電気的に接続しているため、前記カメラホルダ１９に装着されたデジタルカメラ１を、カメラスタンドを介して外部機器３５に接続することができる。
【００９８】
さらに、この実施例では、前記スタンド本体１０の内部に、前記デジタルカメラ１に充電するための充電回路３１を設け、この充電回路３１を、前記カメラホルダ１９に設けられた前記カメラ側コネクタ２４に接続しているため、カメラスタンドを、前記デジタルカメラ１への充電にも利用することができる。
【００９９】
また、この実施例では、前記カメラ支持アーム１６のカメラホルダ１９に原稿照明ライト２５を設け、前記スタンド本体１０の内部に前記原稿照明ライト駆動回路３２を設けているため、前記デジタルカメラ１のストロボライト４または補助照明用ライトを使用せずに、つまりデジタルカメラ１の内蔵電源の電力を消費せずに、撮像する書画原稿Ａを照明することができる。
【０１００】
なお、上記実施例では、カメラ支持アーム１６のカメラホルダ１９に原稿照明ライト２５を設けているが、この原稿照明ライト２５は、前記カメラ支持アーム１６のアーム部１６ａに設けても、前記スタンド本体１０の前面に設けてもよい。
【０１０１】
また、前記カメラスタンドは、その設計に合ったデジタルカメラ１以外のデジタルカメラを前記カメラホルダ１９に装着させて書画原稿Ａを撮像させることも可能であり、その場合、前記スタンド本体１０のアーム収容部１３内にデジタルカメラを収容できないときは、そのデジタルカメラを前記カメラホルダ１９から取外してカメラ支持アーム１６を前記アーム収容部１３内に回動させればよい。
【０１０２】
（第２の実施例）
図６〜図８はこの発明の第２の実施例を示しており、図６はカメラスタンドの使用状態の斜視図、図７及び図８は前記カメラスタンドの折り畳み状態の斜視図及び平面図である。なお、この実施例において、上述した第１の実施例のカメラスタンドの各構成部材に対応するものには図に同符号を付し、実質的に同じ構成の部分についてはその説明を省略する。
【０１０３】
この実施例のカメラスタンドは、スタンド本体１０を、基端部を中心として起立状態と倒伏状態とに回動される扁平な筒状の第１のスタンド部材１１ａと、前記第１のスタンド部材１１ａ内にその長さ方向にスライド可能に設けられた第２のスタンド部材１２ａとにより構成し、カメラ支持アーム１６を、その基端を前記第２のスタンド部材１２ａの先端部に枢支させたものであり、この実施例では、前記カメラ支持アーム１６のアーム部１６ａとその先端のカメラホルダ１９とを、前記カメラホルダ１９に装着されたデジタルカメラ１を第１のスタンド部材１１ａ外に残して、前記第２のスタンド部材１２ａとともに前記第１のスタンド部材１１ａの長さ内に収容させることにより、このカメラ支持アーム１６を前記スタンド本体１０に沿わせて格納させるようにし、前記第１のスタンド部材１１ａ外に残されたデジタルカメラ１を、着脱可能なカメラ保護キャップ３９により覆わせるようにしている。
【０１０４】
なお、上述した第１の実施例では、カメラ支持アーム１６の先端のカメラホルダ１９を、ホルダベース部材２０とカメラ固定部材２１とにより構成しているが、この実施例では、前記カメラホルダ１９を、ホルダベース部にカメラ固定部を一体に形成した１つの部材とし、このカメラホルダ１９を、前記カメラ支持アーム１６のアーム部１６ａの先端に設けられた軸部材１８に、前記アーム部１６ａの長さ方向に対して左右方向に回動可能に、且つ前記アーム部１６ａの周方向に回動可能に支持させている。
【０１０５】
そして、この実施例では、カメラホルダ１９のカメラ固定部を、その前端の一側に前方に張出す突出部を設けたＬ形状に形成して前記突出部にカメラ装着ねじ２３を設け、このカメラホルダ１９にデジタルカメラ１を第１の実施例とは９０°向きを変えた状態、つまりデジタルカメラ１の幅方向をカメラホルダ１９の長さ方向と略平行にして装着させるようにしている。
【０１０６】
また、この実施例のカメラスタンドは、２本のスタンド脚１４を、上述した第１の実施例と同様に、スタンド本体１０の前方の領域に対してその一側の外方と他側の外方とにそれぞれ斜めに傾いた開脚状態で張出させるようにしたものであり、この実施例では、２本のスタンド脚１４をそれぞれ、前記スタンド本体１０の側面の幅及び長さと略同じ高さ（上下縁間の高さ）及び長さを有する板状部材としている。
【０１０７】
そして、この実施例では、前記スタンド本体１０の第１のスタンド部材１１ａの基端部の両側面にそれぞれ、スタンド本体１０の前方に向いたスタンド脚支持面を有し、且つ、そのスタンド脚支持面を、前記スタンド本体１０の側面に対し、その外方に向かって前記スタンド本体１０の後方に２２．５°±１０°の傾斜角で傾いた傾斜面に形成したスタンド脚枢支部４０を設けるとともに、前記２本のスタンド脚１４の基端にそれぞれ前記スタンド脚枢支部４０のスタンド脚支持面の傾斜角と略同じ角度の傾斜屈曲部を形成し、これらのスタンド脚１４の基端を、その傾斜屈曲部を前記スタンド脚枢支部４０のスタンド脚支持面に摺動可能に当接させて、前記スタンド脚支持面に垂直な軸、つまり前記スタンド本体１０の側面に対し、その外方に向かって前記スタンド本体１０の前方に２２．５°±１０°の傾斜角で傾いた傾斜軸４１により前記スタンド脚枢支部４０に枢支させ、前記２本のスタンド脚１４をそれぞれ、カメラスタンドの使用時に、前記スタンド本体１０の前方の領域に対してその一側の外方と他側の外方とにそれぞれ斜めに傾いた開脚状態で張出させ、不使用時に、前記スタンド本体１０の両側面にそれぞれ沿わせて回動させて格納させるようにしている。
【０１０８】
この実施例のカメラスタンドは、２本のスタンド脚１４の基端を、スタンド本体１０の側面の基端部に、その側面の外方に向かって前記スタンド本体１０の前方に傾いた傾斜軸４１を中心として回動可能に枢支させているため、前記スタンド本体１０の基端部の外方への前記２本のスタンド脚１４の開脚張出しと、前記スタンド本体１０の両側面への前記２本のスタンド脚１４の格納を、前記スタンド脚１４を回動させるだけの操作で容易に行なうことができる。
【０１０９】
また、この実施例では、スタンド本体１０を、基端部を中心として起立状態と倒伏状態とに回動される扁平な筒状の第１のスタンド部材１１ａと、前記第１のスタンド部材１１ａ内にその長さ方向にスライド可能に設けられた第２のスタンド部材１２ａとにより構成し、前記第２のスタンド部材１２ａの先端部にカメラ支持アーム１６の基端を枢支させるとともに、前記カメラ支持アーム１６を、前記第２のスタンド部材１２ａとともに前記第１のスタンド部材１１ａの長さ内に収容させて前記スタンド本体１０に沿わせて格納させるようにしているため、カメラスタンドを、薄く、しかも長さを短くした形状に折り畳むことができる。
【０１１０】
そして、この実施例では、前記カメラ支持アーム１６を、その先端のカメラホルダ１９に装着されたデジタルカメラ１を前記第１のスタンド部材１１ａ外に残して前記第１のスタンド部材１１ａの長さ内に収容させ、前記第１のスタンド部材１１ａ外に残されたデジタルカメラ１を、カメラ保護キャップ３９により覆わせるようにしているため、前記第１のスタンド部材１１ａ内の前記第２のスタンド部材１２ａ及びカメラ支持アーム１６の収容空間を、前記デジタルカメラ１の形状を考慮しない簡単な形状にするとともに、不使用時に、前記第１のスタンド部材１１ａ外に残された前記デジタルカメラ１を、前記カメラ保護キャップ３９により保護することができる。
【０１１１】
なお、この実施例では、前記カメラ支持アーム１６のアーム部１６ａとその先端のカメラホルダ１９とを前記第１のスタンド部材１１ａの長さ内に収容させるようにしているが、前記カメラ支持アーム１６を、その先端のカメラホルダ１９の一部または全部と前記カメラホルダ１９に装着されたデジタルカメラ１とを第１のスタンド部材１１ａ外に残して前記第１のスタンド部材１１ａの長さ内に収容させ、前記第１のスタンド部材１１ａ外に残されたカメラホルダ１９及びデジタルカメラ１をカメラ保護キャップ３９により覆わせるようにしてもよい。
【０１１２】
（第３の実施例）
図９〜図１１はこの発明の第３の実施例を示しており、図９はカメラスタンドの使用状態の斜視図、図１０は前記カメラスタンドの折り畳み途中の状態の斜視図、図１１は前記カメラスタンドの折り畳み状態の斜視図である。なお、この実施例において、上述した第１及び第２の実施例のカメラスタンドの各構成部材に対応するものには図に同符号を付し、実質的に同じ構成の部分についてはその説明を省略する。
【０１１３】
この実施例のカメラスタンドは、スタンド本体１０を、基端部を中心として起立状態と倒伏状態とに回動される扁平な筒状の第１のスタンド部材１１ａと、前記第１のスタンド部材１１ａ内にその長さ方向にスライド可能に設けられた第２のスタンド部材１２ａとにより構成し、前記第２のスタンド部材１２ａの先端部にカメラ支持アーム１６の基端を枢支させたものであり、この実施例では、不使用時に、前記スタンド本体１０を縮小させ、前記カメラ支持アーム１６を、その先端のカメラホルダ１９に装着されたデジタルカメラ１とともに前記スタンド本体１０の前面に回動させて前記スタンド本体１０の前面に沿わせて格納させるようにしている。
【０１１４】
なお、この実施例では、前記カメラ支持アーム１６の先端のカメラホルダ１９を、前記カメラ支持アーム１６のアーム部１６ａの先端に設けられた軸部材１８に前記アーム部１６ａの長さ方向に対して左右方向に回動可能に支持されたホルダベース部材２０と、このホルダベース部材２０に、カメラホルダ１９の長さ方向に沿う回転軸２２を介して前記アーム部１６ａの周方向に回動可能に設けられたカメラ固定部材２１とにより構成するとともに、前記カメラ固定部材２１を、その前端の一側に前方に張出す突出部を設けたＬ形状に形成して前記突出部にカメラ装着ねじ２３を設け、このカメラホルダ１９にデジタルカメラ１を、その幅方向をカメラホルダ１９の長さ方向に沿わせた状態で装着させるようにしている。
【０１１５】
また、この実施例のカメラスタンドは、２本のスタンド脚１４を、スタンド本体１０の前方の領域に対してその一側の外方と他側の外方とにそれぞれ斜めに傾いた開脚状態で張出させるようにしたものであり、この実施例では、２本のスタンド脚１４をそれぞれ平板状部材とし、これらのスタンド脚１４を、前記スタンド本体１０の基端部を起伏回動可能に支持する円板状のベース部材４２に、それぞれのスタンド脚１４の基端を前記ベース部材４２の周方向に回動可能に支持させて設け、不使用時に、両方のスタンド脚１４を図１０のように平行に並べた閉脚状態に回動させるようにしている。
【０１１６】
そして、このカメラスタンドでは、前記スタンド本体１０の基端部を、前記ベース部材４２上に設けられたスタンド本体枢支部４３に、スタンド本体１０をその前面を下に向けて水平に倒伏回動させたときに、このスタンド本体１０の前面が、前記２本のスタンド脚１４の上面に対して前記スタンド本体１０の前面との間に前記カメラ支持アーム１６及びその先端のカメラホルダ１９に装着されたデジタルカメラ１の厚さに相当する間隔をとった高さに位置するようにして枢支させ、不使用時に、前記スタンド本体１０を、その前面に沿わせて前記カメラ支持アーム１６を前記デジタルカメラ１とともに格納させた状態で、前記閉脚状態に回動された２本のスタンド脚１４の上に図１１のように倒伏回動させるようにしている。
【０１１７】
この実施例のカメラスタンドは、カメラ支持アーム１６を、不使用時に、前記閉脚状態に回動された２本のスタンド脚１４の上に倒伏させるようにしたものであるため、カメラスタンドを、前記２本のスタンド脚１４の上に前記スタンド本体１０を重ねて格納したコンパクトな形状に折り畳むことができる。
【０１１８】
（第４の実施例）
図１２〜図１４はこの発明の第４の実施例を示しており、図１２はカメラスタンドの使用状態の斜視図、図１３は前記カメラスタンドの折り畳み途中の状態の斜視図、図１４は前記カメラスタンドの折り畳み状態の斜視図である。なお、この実施例において、上述した第１〜第３の実施例のカメラスタンドの各構成部材に対応するものには図に同符号を付し、実質的に同じ構成の部分についてはその説明を省略する。
【０１１９】
この実施例のカメラスタンドは、スタンド本体１０を、基端部を中心として起立状態と倒伏状態とに回動される扁平な筒状の第１のスタンド部材１１ａと、前記第１のスタンド部材１１ａ内にその長さ方向にスライド可能に設けられた第２のスタンド部材１２ａとにより構成し、カメラ支持アーム１６の基端を、前記第２のスタンド部材１２ａの先端部に枢支させたものであり、この実施例では、前記カメラ支持アーム１６のアーム部１６ａとその先端のカメラホルダ１９とを、前記カメラホルダ１９に装着されたデジタルカメラ１を第１のスタンド部材１１ａ外に残して、前記第２のスタンド部材１２ａとともに前記第１のスタンド部材１１ａの長さ内に収容させることにより、このカメラ支持アーム１６を前記スタンド本体１０に沿わせて格納させるようにし、前記第１のスタンド部材１１ａ外に残されたデジタルカメラ１を、前記第１のスタンド部材１１ａの先端に回動可能に設けたカメラ保護キャップ３９ａにより覆わせるようにしている。
【０１２０】
なお、この実施例では、前記カメラホルダ１９を、ホルダベース部にカメラ固定部を一体に形成した１つの部材とし、このカメラホルダ１９を、前記カメラ支持アーム１６のアーム部１６ａの先端に設けられた軸部材１８に、前記アーム部１６ａの長さ方向に対して左右方向に回動可能に、且つ前記アーム部１６ａの周方向に回動可能に支持させている。
【０１２１】
また、この実施例のカメラスタンドは、２本のスタンド脚１４を、スタンド本体１０の前方の領域に対してその一側の外方と他側の外方とにそれぞれ斜めに傾いた開脚状態で張出させるようにしたものであり、この実施例では、２本のスタンド脚１４をそれぞれ上述した第３の実施例よりも薄い平板状部材とし、これらのスタンド脚１４を、前記スタンド本体１０の基端部を起伏回動可能に支持する円板状のベース部材４２に、それぞれのスタンド脚１４の基端を前記ベース部材４２の周方向に回動可能に支持させて設け、不使用時に、両方のスタンド脚１４を平行に並べた閉脚状態に回動させるようにしている。
【０１２２】
そして、このカメラスタンドでは、不使用時に、前記スタンド本体１０を、その第１のスタンド部材１１ａの長さ内に前記第２のスタンド部材１２ａとともに前記カメラ支持アーム１６を収容させて格納させた、前記第１のスタンド部材１１ａ外に残されたデジタルカメラ１をカメラ保護キャップ３９ａにより覆わせた状態で倒伏回動させるとともに、前記２本のスタンド脚１４を平行に並べた閉脚状態に回動させ、この２本のスタンド脚１４の上に前記倒伏回動させたスタンド本体１０を重ねさせるようにしている。
【０１２３】
この実施例のカメラスタンドは、カメラ支持アーム１６を、不使用時に、前記閉脚状態に回動された２本のスタンド脚１４の上に倒伏させるようにしたものであるため、カメラスタンドを、前記２本のスタンド脚１４の上に前記スタンド本体１０を重ねて格納したコンパクトな形状に折り畳むことができる。
【０１２４】
（第５の実施例）
図１５〜図１７はこの発明の第５の実施例を示しており、図１５はカメラスタンドの使用状態の斜視図、図１６は前記カメラスタンドの折り畳み途中の状態の斜視図、図１７は前記カメラスタンドの折り畳み状態の斜視図である。なお、この実施例において、上述した第１〜第４実施例のカメラスタンドの各構成部材に対応するものには図に同符号を付し、実質的に同じ構成の部分についてはその説明を省略する。
【０１２５】
この実施例のカメラスタンドは、スタンド本体１０を、基端部を中心として起立状態と倒伏状態とに回動される細筒状の第１のスタンド部材１１ｂと、前記第１のスタンド部材１１ｂ内にその長さ方向にスライド可能に設けられた第２のスタンド部材１２ｂとにより構成し、前記第２のスタンド部材１２ｂの先端部にカメラ支持アーム１６の基端を枢支させたものであり、この実施例では、不使用時に、前記スタンド本体１０を縮小させ、前記カメラ支持アーム１６を、前記スタンド本体１０の先端から前記スタンド本体１０の延長線に沿わせて張出させるようにしている。
【０１２６】
なお、この実施例では、前記カメラ支持アーム１６の先端のカメラホルダ１９を、ホルダベース部にカメラ固定部を一体に形成した１つの部材とし、このカメラホルダ１９を、前記カメラ支持アーム１６のアーム部１６ａの先端に設けられた軸部材１８に、前記アーム部１６ａの長さ方向に対して左右方向に回動可能に、且つ前記アーム部１６ａの周方向に回動可能に支持させるとともに、このカメラホルダ１９にデジタルカメラ１を、このデジタルカメラ１の幅方向を前記カメラホルダ１９の左右方向と略平行にして装着させるようにしている。
【０１２７】
また、この実施例のカメラスタンドは、２本のスタンド脚１４を、前記スタンド本体１０の前方の領域に対してその一側の外方と他側の外方とにそれぞれ斜めに傾いた開脚状態で張出させるようにしたものであり、２本のスタンド脚１４は、前記スタンド本体１０の基端部を起伏回動可能に支持する円板状のベース部材４２に、それぞれのスタンド脚１４の基端を前記ベース部材４２の周方向に回動可能に支持させて、不使用時に、両方のスタンド脚１４を平行に並べた閉脚状態に回動されるように設けられている。
【０１２８】
そして、この実施例では、前記２本のスタンド脚１４をそれぞれ、前記カメラ支持アーム１６及びカメラ支持アーム１６とその先端のカメラホルダ１９に装着されたデジタルカメラ１の厚さよりも若干大きい高さ（上下面間の高さ）と、前記スタンド本体１０を縮小させ、前記カメラ支持アーム１６を前記スタンド本体１０の先端から前記スタンド本体１０の延長線に沿わせて張出させたときの前記カメラ支持アーム１６の基端から前記デジタルカメラ１の外端までの長さよりも若干大きい長さを有し、且つ、前記閉脚状態において互いに向き合う側面にそれぞれスタンド本体収容部１４ａを設けた構成としている。
【０１２９】
なお、前記２本のスタンド脚１４はそれぞれ、閉脚状態において互いに向き合う側面が開放する角筒状部材からなっており、その内部の空間が前記スタンド本体収容部１４ａとされている。
【０１３０】
また、この実施例では、前記スタンド本体１０の基端部を起伏回動可能に支持するベース部材４２に、その上面及び前面に開放する切欠部４２ａを設け、前記スタンド本体１０の基端部を前記切欠部４２ａに挿入して前記ベース部材４２に枢支させることにより、不使用時に、前記スタンド本体１０を前記２本のスタンド脚１４の間に倒伏回動させ、このスタンド本体１０及びその先端から張出されたカメラ支持アーム１６を、前記カメラ支持アーム１６の先端のカメラホルダ１９に装着されたデジタルカメラ１とともに、前記２本のスタンド脚１４のスタンド本体収容部１４ａに収容させて、これらのスタンド脚１４間に格納させるようにしている。
【０１３１】
この実施例のカメラスタンドは、前記スタンド本体１０を、不使用時に、前記２本のスタンド脚１４の間に倒伏させて前記閉脚状態に回動された前記２本のスタンド脚間に格納させるようにしたものであるため、カメラスタンドを、コンパクトな形状に折り畳むことができる。
【０１３２】
また、この実施例のカメラスタンドは、前記２本のスタンド脚１４の閉脚状態において互いに向き合う側面にそれぞれスタンド本体収容部１４ａを設け、前記スタンド本体１０を、前記２本のスタンド脚１４間に、これらのスタンド脚１４のスタンド本体収容部１４ａに収容させて格納させるようにしているため、カメラスタンドを、コンパクトで、しかも外観がシンプルな形状に折り畳むことができる。
【０１３３】
さらに、この実施例では、前記スタンド本体１０を、前記カメラ支持アーム１６及びその先端のカメラホルダ１９に装着されたデジタルカメラ１とともに前記２本のスタンド脚１４のスタンド本体収容部１４ａに収容させるようにしているため、前記カメラ支持アーム１６のカメラホルダ１９に前記デジタルカメラ１を装着したままカメラスタンドを折り畳むことができる。
【０１３４】
（第６の実施例）
図１８〜図２０はこの発明の第６の実施例を示しており、図１８はカメラスタンドの使用状態の斜視図、図１９は前記カメラスタンドの折り畳み途中の状態の斜視図、図２０は前記カメラスタンドの折り畳み状態の斜視図である。なお、この実施例において、上述した第１〜第５の実施例のカメラスタンドの各構成部材に対応するものには図に同符号を付し、実質的に同じ構成の部分についてはその説明を省略する。
【０１３５】
この実施例のカメラスタンドは、スタンド本体１０を、基端部を中心として起立状態と倒伏状態とに回動される扁平な筒状の第１のスタンド部材１１ａと、前記第１のスタンド部材１１ａ内にその長さ方向にスライド可能に設けられた第２のスタンド部材１２ａとにより構成し、前記第２のスタンド部材１２ｂの先端部にカメラ支持アーム１６の基端を枢支させたものであり、この実施例では、不使用時に、カメラ支持アーム１６のアーム部１６ａを第２のスタンド部材１２ａとともに前記第１のスタンド部材１１ａの長さ内に収容させ、前記カメラ支持アーム１６の前記アーム部１６ａよりも先端側の部分（軸部材１８及びカメラホルダ１９）を、スタンド本体１０の先端から前記スタンド本体１０の延長線に沿わせて張出させるようにしている。
【０１３６】
なお、この実施例では、前記カメラ支持アーム１６の先端のカメラホルダ１９を、ホルダベース部にカメラ固定部を一体に形成した１つの部材とし、このカメラホルダ１９を、前記カメラ支持アーム１６のアーム部１６ａの先端に設けられた軸部材１８に、前記アーム部１６ａの長さ方向に対して左右方向に回動可能に、且つ前記アーム部１６ａの周方向に回動可能に支持させるとともに、このカメラホルダ１９にデジタルカメラ１を、このデジタルカメラ１の幅方向を前記カメラホルダ１９の左右方向と略平行にして装着させるようにしている。
【０１３７】
また、この実施例のカメラスタンドは、２本のスタンド脚１４を、前記スタンド本体１０の前方の領域に対してその一側の外方と他側の外方とにそれぞれ斜めに傾いた開脚状態で張出させ、不使用時に、前記２本のスタンド脚１４を平行に並べた閉脚状態に回動させるようにするとともに、前記２本のスタンド脚１４の閉脚状態において互いに向き合う側面にそれぞれスタンド本体収容部１４ａを設け、前記スタンド本体１０を、不使用時に、前記スタンド本体１０を前記２本のスタンド脚１４の間に倒伏回動させ、このスタンド本体１０及び前記カメラ支持アーム１６の前記スタンド本体１０の先端から張出された部分を、前記カメラホルダ１９に装着されたデジタルカメラ１とともに、前記２本のスタンド脚１４のスタンド本体収容部１４ａに収容させて、これらのスタンド脚１４間に格納させるようにしたものであり、この実施例では、前記２本のスタンド脚１４を図のような形状の角筒状部材とし、前記スタンド本体１０の両側部と、前記カメラ支持アーム１６のスタンド本体１０の先端から張出された部分及びデジタルカメラ１の全体とを前記２本のスタンド脚１４のスタンド本体収容部１４ａに収容させるようにしている。
【０１３８】
この実施例のカメラスタンドも、前記第５の実施例と同様に、前記２本のスタンド脚１４の閉脚状態において互いに向き合う側面にそれぞれスタンド本体収容部１４ａを設け、前記スタンド本体１０を、前記２本のスタンド脚１４間に、これらのスタンド脚１４のスタンド本体収容部１４ａに収容させて格納させるようにしているため、カメラスタンドを、コンパクトで、しかも外観がシンプルな形状に折り畳むことができ、また、前記スタンド本体１０を、前記カメラ支持アーム１６及びその先端のカメラホルダ１９に装着されたデジタルカメラ１とともに前記２本のスタンド脚１４のスタンド本体収容部１４ａに収容させるようにしているため、前記カメラ支持アーム１６のカメラホルダ１９に前記デジタルカメラ１を装着したままカメラスタンドを折り畳むことができる
【０１３９】
（第７の実施例）
図２１〜図２３はこの発明の第７の実施例を示しており、図２１はカメラスタンドの使用状態の斜視図、図２２は前記カメラスタンドの折り畳み状態の斜視図、図２３はスタンド本体に対する２本のスタンド脚の枢支状態を示す図である。なお、この実施例において、上述した第１〜第６の実施例のカメラスタンドの各構成部材に対応するものには図に同符号を付し、実質的に同じ構成の部分についてはその説明を省略する。
【０１４０】
この実施例のカメラスタンドは、スタンド本体１０を、１つの部材からなる非伸縮型のものとし、このスタンド本体１０の先端にカメラ支持アーム１６の基端を枢支させたものであり、この実施例では、前記スタンド本体１０の前面に、前記カメラ支持アーム１６をその先端のカメラホルダ１９に装着されたデジタルカメラ１とともに収容するアーム収容部１３を設けている。
【０１４１】
また、この実施例のカメラスタンドは、２本のスタンド脚１４の一方を前記スタンド本体１０の基端部の一側から前記スタンド本体１０の前方の領域の一側に沿わせて張出させ、他方のスタンド脚１４を前記スタンド本体１０の左右方向に沿わせて前記スタンド本体１０の他側の外方に張出させるようにしたものであり、この実施例では、前記２本のスタンド脚１４を、前記スタンド本体１０の一側に、それぞれのスタンド脚１４の基端を前記スタンド本体１０の側面の基端部に枢支させて設け、不使用時に、これらのスタンド脚１４を前記スタンド本体１０の一側面に沿わせて回動させ、両方のスタンド脚１４を互いに重ねて前記スタンド本体１０の一側面に格納させるようにしている。
【０１４２】
すなわち、この実施例では、図２３に示したように、一方のスタンド脚１４の基端を、前記スタンド本体１０の一側面の基端部に、前記スタンド本体１０の左右方向に沿う水平軸４４を中心として、前記スタンド本体１０の一側面に沿わせて格納された状態と、前記スタンド本体１０の前方の領域の一側に沿わせて張出させた状態とに回動可能に枢支させ、他方のスタンド脚１４の基端を、前記一方のスタンド脚１４の基端部に、前記スタンド本体１０の一側面の側面の外方に向かって前記スタンド本体１０の後方に傾いた傾斜軸４５を中心として、図２３（ａ）のように前記一方のスタンド脚１４の外側に重ねて前記スタンド本体１０の一側面に沿わせて格納された状態と、図２３（ｂ）のようにスタンド本体１０の基端部の後側に前記スタンド本体１０の左右方向に沿わせて倒され、前記スタンド本体１０の他側の外方に張出させた状態とに回動可能に枢支させている。
【０１４３】
なお、この実施例では、前記一方のスタンド脚１４の基端部に、前記スタンド本体１０の側面に対し、このスタンド脚１４の外側面の外方に向かってスタンド脚１４の基端方向に２２．５°±１０°の角度で傾いた傾斜面を形成するとともに、前記他方のスタンド脚１４の基端に前記一方のスタンド脚１４の基端部の傾斜面と略同じ角度の傾斜屈曲部を形成し、この他方のスタンド脚１４の基端を、その傾斜屈曲部を前記一方のスタンド脚１４の基端部の傾斜面に摺動可能に当接させて、前記傾斜面に垂直な軸、つまり前記スタンド本体１０の側面に対し、その外方に向かって前記スタンド本体１０の後方に２２．５°±１０°の傾斜角で傾いた傾斜軸４１により前記一方のスタンド脚１４の基端部に枢支させ、前記２本のスタンド脚１４を、前記スタンド本体１０の前方の領域の一側と前記スタンド本体１０の他側の外方とに９０°±０°の範囲の開き角で開脚させて張出させるようにしている。
【０１４４】
そして、この実施例では、前記カメラ支持アーム１６を、基端を前記スタンド本体１０の先端部に前記スタンド本体の左右方向に沿う水平なアーム支軸１７を中心として回動可能に枢支されたアーム部１６ａと、このアーム部１６ａの先端に、前記アーム支軸１７と平行なホルダ支軸１８ａを中心として回動可能に設けられたカメラホルダ１９とにより構成している。
【０１４５】
なお、この実施例のカメラスタンドは、一方のスタンド脚１４をスタンド本体１０の前方の領域の一側に沿わせて張出させ、他方のスタンド脚１４を前記スタンド本体１０の左右方向に沿わせて前記スタンド本体の他側の外方に張出させるようにしたものであるため、カメラ支持アーム１６の先端のカメラホルダ１９に装着されたデジタルカメラ１の撮像画面の向きと、スタンド載置面上の前記２本のスタンド脚１４の間の部分に２つの辺を前記２本のスタンド脚１４の長さ方向に沿わせて置かれた書画原稿Ａの向きとが略一致するため、この実施例のカメラスタンドでは、前記カメラホルダ１９を前記カメラ支持アーム１６のアーム部１６ａの長さ方向に対して左右方向に回動させて前記デジタルカメラ１の撮像画面の向きを前記書画原稿の向きに合わせて調整する必要は無く、したがって、前記カメラホルダ１９を前記アーム部１６ａの長さ方向に対して左右方向に回動可能に設ける必要はない。
【０１４６】
なお、この実施例では、前記カメラホルダ１９を、前記アーム部１６ａの先端に前記ホルダ支軸１８ａを中心として回動可能に支持されたホルダベース部材２０と、このホルダベース部材２０に、カメラホルダ１９の長さ方向に沿う回転軸２２を介して前記アーム部１６ａの周方向に回動可能に設けられたカメラ固定部材２１とにより構成するとともに、前記カメラ固定部材２１を、その前端の一側に前方に張出す突出部を設けたＬ形状に形成して前記突出部にカメラ装着ねじ２３を設け、このカメラホルダ１９にデジタルカメラ１をその幅方向をカメラホルダ１９の長さ方向と略平行にして装着させるようにしている。
【０１４７】
この実施例のカメラスタンドは、２本のスタンド脚１４の一方をスタンド本体１０の前方の領域の一側に沿わせて張出させ、他方のスタンド脚１４を前記スタンド本体１０の左右方向に沿わせて前記スタンド本体１０の他側の外方に張出させるようにしているため、起立回動された前記スタンド本体１０を前記２本のスタンド脚１４により安定に支えることができる。
【０１４８】
そして、この実施例では、前記２本のスタンド脚１４を、前記スタンド本体１０の一側に、それぞれのスタンド脚１４の基端を前記スタンド本体１０の側面の基端部に枢支させて設け、不使用時に、前記スタンド本体１０の一側面に沿わせて回動させるようにしているため、カメラスタンドを、前記２本のスタンド脚１４を互いに重ねて前記スタンド本体１０の一側面に格納したコンパクトな形状に折り畳むことができる。
【０１４９】
また、この実施例では、前記一方のスタンド脚１４の基端を、前記スタンド本体１０の一側面の基端部に、前記スタンド本体１０の左右方向に沿う水平軸４４を中心として回動可能に枢支させ、他方のスタンド脚１４の基端を、前記スタンド本体１０の前記一側面の基端部に、前記一方のスタンド脚１４を介して、その側面の外方に向かって前記スタンド本体１０の後方に傾いた傾斜軸４５を中心として回動可能に枢支させているため、前記スタンド本体１０の基端部の外方への前記２本のスタンド脚１４の開脚張出しと、前記スタンド本体１０の側面への前記２本のスタンド脚１４の格納を、前記スタンド脚１４を回動させるだけの簡単な操作で行なうことができる。
【０１５０】
さらに、この実施例では、前記カメラ支持アーム１６を、基端を前記スタンド本体１０の先端部に前記スタンド本体の左右方向に沿う水平なアーム支軸１７を中心として回動可能に枢支されたアーム部１６ａと、このアーム部１６ａの先端に、前記アーム支軸１７と平行なホルダ支軸１８ａを中心として回動可能に設けられたカメラホルダ１９とにより構成しているため、前記カメラホルダ１９に支持されたデジタルカメラ１のスタンド載置面に対する高さ（スタンド載置面上に置かれた書画原稿Ａの撮像距離）を任意に調整させることができるとともに、前記スタンド載置面上の前記２本のスタンド脚１４の間の部分に書画原稿Ａをその２つの辺を前記２本のスタンド脚１４の長さ方向に沿わせて置かせ、その書画原稿Ａを前記デジタルカメラ１により撮像させることができる。
【０１５１】
また、この実施例では、前記カメラホルダ１９を、前記アーム部１６ａに対してその周方向に回動可能に設けているため、このカメラホルダ１９を前記アーム部１６ａの周方向に回動させて前記デジタルカメラ１による前記書画原稿Ａの撮像角を任意に調整させることできるとともに、前記デジタルカメラ１を任意の方向に向けさせて、スタンド載置面上の書画原稿以外の被写体を撮像させることもできる。
【０１５２】
なお、この実施例のカメラスタンドは、２本のスタンド脚１４を互いに重ねて前記スタンド本体１０の一側面に格納させるようにしたものであるが、一方のスタンド脚１４の基端をスタンド本体１０の一側面の基端部に前記スタンド本体の左右方向に沿う水平軸を中心として回動可能に枢支させ、他方のスタンド脚１４の基端を前記スタンド本体の他側面の基端部にその側面の外方に向かって前記スタンド本体の後方に傾いた傾斜軸を中心として回動可能に枢支させ、これらのスタンド脚１４を前記スタンド本体１０の両側面にそれぞれ沿わせて格納させるようにしてもよい。
【０１５３】
（他の実施例）
なお、上述した第１〜第６の実施例のカメラスタンドはいずれも、スタンド本体１０を、基端部を中心として起立状態と倒伏状態とに回動される第１のスタンド部材１１，１１ａ，１１ｂと、前記第１のスタンド部材１１，１１ａ，１１ｂにその長さ方向にスライド可能に設けられた第２のスタンド部材１２，１２ａ，１２ｂとからなる伸縮型としたものであるが、これらのカメラスタンドのスタンド本体１０を上記第７の実施例のような非伸縮型のものとしてもよく、また、前記第７の実施例のスタンド本体１０を、前記第１〜第６の実施例のような伸縮型のものとしてもよい。
【０１５４】
また、上記第１〜第７の各実施例では、スタンド本体１０に、カメラ支持アーム１６のカメラホルダ１９に装着されたデジタルカメラ１を外部機器に接続するための外部側コネクタ２６、ＡＣジャック２７、パワーキー２８及びライトキー２９を設けているが、これらは、２本のスタンド脚１４のいずれかに設けても、前記スタンド本体１０とスタンド脚１４とに振り分けて設けてもよい。
【０１５５】
また、上記各実施例のカメラスタンドでは、前記デジタルカメラ１に充電するための充電回路３１と原稿照明ライト駆動回路３２をスタンド本体１０の内部に設けているが、これらの回路３１，３２の一方または両方を前記２本のスタンド脚１４のいずれかの内部に設けてもよい。
【符号の説明】
【０１５６】
１…デジタルカメラ、９…外部機器接続コネクタ、１０…スタンド本体、１１，１１ａ，１１ｂ…第１のスタンド部材、１２，１２ａ，１２ｂ…第２のスタンド部材、１３…アーム収容部、１４…スタンド脚、１４ａ…スタンド本体収容部、１６…カメラ支持アーム、１６ａ…アーム部、１７…アーム支軸、１８…軸部材、１８ａ…ホルダ支軸、１９…カメラホルダ、２０…ホルダベース部材、２１…カメラ固定部材、２２…回転軸、２３…カメラ装着ねじ、２４…外部側コネクタ、２５…原稿照明ライト、２６…カメラ側コネクタ、３１…充電回路、３２…照明ライト駆動回路、３９，３９ａ…カメラ保護キャップ、４２…ベース部材、Ａ…書画原稿。
【図１】
2010113362.tif 000003
【図２】
2010113362.tif 000004
【図３】
2010113362.tif 000005
【図４】
2010113362.tif 000006
【図５】
2010113362.tif 000007
【図６】
2010113362.tif 000008
【図７】
2010113362.tif 000009
【図８】
2010113362.tif 000010
【図９】
2010113362.tif 000011
【図１０】
2010113362.tif 000012
【図１１】
2010113362.tif 000013
【図１２】
2010113362.tif 000014
【図１３】
2010113362.tif 000015
【図１４】
2010113362.tif 000016
【図１５】
2010113362.tif 000017
【図１６】
2010113362.tif 000018
【図１７】
2010113362.tif 000019
【図１８】
2010113362.tif 000020
【図１９】
2010113362.tif 000021
【図２０】
2010113362.tif 000022
【図２１】
2010113362.tif 000023
【図２２】
2010113362.tif 000024
【図２３】
2010113362.tif 000025
【手続補正書】
【提出日】平成22年1月22日(2010.1.22)
【手続補正１】
【補正対象書類名】明細書
【補正対象項目名】０００６
【補正方法】変更
【補正の内容】
【０００６】
この発明のカメラスタンドは、基端部を中心として起立状態と倒伏状態とに回動されるスタンド本体と、前記スタンド本体の基端部からその外方に向かって互いに離間する方向に開脚させて張出される２本のスタンド脚と、先端にデジタルカメラを着脱可能に支持するカメラホルダを有し、基端を前記スタンド本体の先端部に枢支されたカメラ支持アームとを備え、使用時に、前記２本のスタンド脚を前記スタンド本体の基端部の外方に開脚させて張出させた状態でスタンド載置面上に置かれて、前記カメラホルダに装着されたデジタルカメラによる前記スタンド載置面上に置かれた書画原稿の撮像を行なわせ、不使用時に、前記スタンド本体と前記２本のスタンド脚と前記カメラ支持アームとを、少なくとも前記デジタルカメラの撮像レンズが前記スタンド本体或いは前記２本のスタンド脚によって露出しないように、互いに平行した状態に折り畳むことを特徴とする。
また、この発明のカメラスタンドは、不使用時に、前記スタンド本体と前記２本のスタンド脚間に前記カメラ支持アームを倒伏させて折り畳むことを特徴とする。
【手続補正２】
【補正対象書類名】明細書
【補正対象項目名】００１２
【補正方法】削除
【補正の内容】
【手続補正３】
【補正対象書類名】明細書
【補正対象項目名】００１３
【補正方法】削除
【補正の内容】
【手続補正４】
【補正対象書類名】明細書
【補正対象項目名】００１４
【補正方法】削除
【補正の内容】
【手続補正５】
【補正対象書類名】明細書
【補正対象項目名】００１５
【補正方法】削除
【補正の内容】
【手続補正６】
【補正対象書類名】明細書
【補正対象項目名】００１６
【補正方法】削除
【補正の内容】
【手続補正７】
【補正対象書類名】明細書
【補正対象項目名】００１７
【補正方法】削除
【補正の内容】
【手続補正８】
【補正対象書類名】明細書
【補正対象項目名】００２４
【補正方法】削除
【補正の内容】
【手続補正９】
【補正対象書類名】明細書
【補正対象項目名】００２６
【補正方法】削除
【補正の内容】
【手続補正１０】
【補正対象書類名】明細書
【補正対象項目名】００３８
【補正方法】変更
【補正の内容】
【００３８】
その場合、前記スタンド本体は、不使用時に、閉脚状態に回動された前記２本のスタンド脚の上に倒伏させるようにして、前記スタンド本体を閉脚状態に回動された前記２本のスタンド脚の上に倒伏させるようにすることにより、カメラスタンドを、前記２本のスタンド脚の上に前記スタンド本体を重ねて格納したコンパクトな形状に折り畳むことができ、カメラスタンドを、前記２本のスタンド脚間に前記スタンド本体を格納したコンパクトな形状に折り畳むことができる。
【手続補正１１】
【補正対象書類名】明細書
【補正対象項目名】００３９
【補正方法】削除
【補正の内容】
【手続補正１２】
【補正対象書類名】明細書
【補正対象項目名】００４０
【補正方法】削除
【補正の内容】
【手続補正１３】
【補正対象書類名】明細書
【補正対象項目名】００４１
【補正方法】削除
【補正の内容】
【手続補正１４】
【補正対象書類名】明細書
【補正対象項目名】００４２
【補正方法】削除
【補正の内容】
【手続補正１５】
【補正対象書類名】明細書
【補正対象項目名】００４３
【補正方法】削除
【補正の内容】
【手続補正１６】
【補正対象書類名】明細書
【補正対象項目名】００５０
【補正方法】削除
【補正の内容】
【手続補正１７】
【補正対象書類名】明細書
【補正対象項目名】００５２
【補正方法】削除
【補正の内容】
【手続補正１８】
【補正対象書類名】特許請求の範囲
【補正対象項目名】全文
【補正方法】変更
【補正の内容】
【特許請求の範囲】
【請求項１】
基端部を中心として起立状態と倒伏状態とに回動されるスタンド本体と、
前記スタンド本体の基端部からその外方に向かって互いに離間する方向に開脚させて張出される２本のスタンド脚と、
先端にデジタルカメラを着脱可能に支持するカメラホルダを有し、基端を前記スタンド本体の先端部に枢支されたカメラ支持アームとを備え、
使用時に、前記２本のスタンド脚を前記スタンド本体の基端部の外方に開脚させて張出させた状態でスタンド載置面上に置かれて、前記カメラホルダに装着されたデジタルカメラによる前記スタンド載置面上に置かれた書画原稿の撮像を行なわせ、
不使用時に、前記スタンド本体と前記２本のスタンド脚と前記カメラ支持アームとを、少なくとも前記デジタルカメラの撮像レンズが前記スタンド本体或いは前記２本のスタンド脚によって露出しないように、互いに平行した状態に折り畳むことを特徴とするカメラスタンド。
【請求項２】
不使用時に、前記スタンド本体と前記２本のスタンド脚間に前記カメラ支持アームを倒伏させて折り畳むことを特徴とする請求項１に記載のカメラスタンド。
【請求項３】
使用時に、スタンド本体をスタンド載置面に対して起立回動されるとともに、カメラ支持アームを前記起立回動されたスタンド本体の前方に張出し回動され、不使用時に、前記カメラ支持アームを、前記スタンド本体に沿わせて格納されるか、あるいは前記スタンド本体の先端から前記スタンド本体の延長線に沿わせて張出されるとともに、前記２本のスタンド脚と前記スタンド本体の一方を他方に沿わせて回動されることを特徴とする請求項１または２に記載のカメラスタンド。
【請求項４】
２本のスタンド脚は、スタンド本体の前方の領域に対してその一側の外方と他側の外方とにそれぞれ斜めに傾いた開脚状態で張出されることを特徴とする請求項１から３の何れかに記載のカメラスタンド。
【請求項５】
２本のスタンド脚は、スタンド本体の一側と他側とに、それぞれのスタンド脚の基端を前記スタンド本体の側面の基端部に枢支されて設けられており、不使用時に、スタンド本体の両側面にそれぞれ沿わせて回動されることを特徴とする請求項４に記載のカメラスタンド。
【請求項６】
スタンド脚は、その基端をスタンド本体の側面の基端部に、前記スタンド本体の左右方向に沿う水平軸と、前記水平軸に対して直交する軸とを中心として２つの方向に回動可能に枢支されていることを特徴とする請求項５に記載のカメラスタンド。
【請求項７】
スタンド脚は、その基端をスタンド本体の側面の基端部に、その側面の外方に向かって前記スタンド本体の前方に傾いた傾斜軸を中心として回動可能に枢支されていることを特徴とする請求項５に記載のカメラスタンド。
【請求項８】
２本のスタンド脚は、スタンド本体の基端部を起伏回動可能に支持するベース部材に、それぞれのスタンド脚の基端を前記ベース部材の周方向に回動可能に支持されて設けられており、不使用時に、両方のスタンド脚を平行に並べた閉脚状態に回動されることを特徴とする請求項４に記載のカメラスタンド。
【請求項９】
スタンド本体は、不使用時に、閉脚状態に回動された２本のスタンド脚の上に倒伏されることを特徴とする請求項８に記載のカメラスタンド。
【請求項１０】
スタンド本体は、基端部を中心として起立状態と倒伏状態とに回動される第１のスタンド部材と、前記第１のスタンド部材にその長さ方向にスライド可能に設けられた第２のスタンド部材とからなっており、前記第２のスタンド部材の先端部にカメラ支持アームの基端が枢支されていることを特徴とする請求項１から３の何れかに記載のカメラスタンド。
【請求項１１】
カメラ支持アームは、不使用時に、スタンド本体に沿わせて格納されることを特徴とする請求項１から３の何れかにに記載のカメラスタンド。
【請求項１２】
カメラ支持アームは、スタンド本体の前面に回動され、前記スタンド本体の前面に沿わせて格納されることを特徴とする請求項１１に記載のカメラスタンド。
【請求項１３】
カメラ支持アームは、その先端のカメラホルダに装着されたデジタルカメラとともに前記スタンド本体の前面に沿わせて格納されることを特徴とする請求項１２に記載のカメラスタンド。
【請求項１４】
スタンド本体の前面にアーム収容部が設けられており、カメラ支持アームは、前記アーム収容部内に格納されることを特徴とする請求項１１に記載のカメラスタンド。
【請求項１５】
カメラ支持アームは、その先端のカメラホルダに装着されたデジタルカメラとともにスタンド本体のアーム収容部に収容されることを特徴とする請求項１４に記載のカメラスタンド。
【請求項１６】
スタンド本体は、基端部を中心として起立状態と倒伏状態とに回動される第１のスタンド部材と、前記第１のスタンド部材にその長さ方向にスライド可能に設けられた第２のスタンド部材とからなっており、前記第２のスタンド部材の先端部にカメラ支持アームの基端が枢支され、前記第２のスタンド部材にアーム収容部が設けられていることを特徴とする請求項１５に記載のカメラスタンド。
【請求項１７】
スタンド本体は、基端部を中心として起立状態と倒伏状態とに回動される筒状の第１のスタンド部材と、前記第１のスタンド部材内にその長さ方向にスライド可能に設けられた第２のスタンド部材とからなっており、カメラ支持アームは、その基端を前記第２のスタンド部材の先端部に枢支され、前記第２のスタンド部材とともに前記第１のスタンド部材の長さ内に収容されて、前記スタンド本体に沿わせて格納されることを特徴とする請求項１１に記載のカメラスタンド。
【請求項１８】
カメラ支持アームは、基端をスタンド本体の先端部に前記スタンド本体の左右方向に沿う水平なアーム支軸を中心として回動可能に枢支されたアーム部と、このアーム部の先端に、前記アーム部の長さ方向に対して左右方向に回動可能に設けられたカメラホルダとからなっていることを特徴とする請求項４に記載のカメラスタンド。
【請求項１９】
カメラホルダは、アーム部に対してその周方向に回動可能に設けられていることを特徴とする請求項１８に記載のカメラスタンド。
【請求項２０】
スタンド脚とスタンド本体のいずれかの内部に、カメラ支持アームのカメラホルダに装着されたデジタルカメラを外部機器に接続するための外部側コネクタが設けられ、前記カメラホルダに、前記デジタルカメラに設けられた外部機器接続コネクタに接続されるカメラ側コネクタが設けられ、前記外部側コネクタと前記カメラ側コネクタとが電気的に接続されていることを特徴とする請求項１から３の何れかに記載のカメラスタンド。
【請求項２１】
スタンド脚とスタンド本体のいずれかの内部に、デジタルカメラに充電するための充電回路が設けられ、この充電回路が、カメラホルダに設けられたカメラ側コネクタに接続されていることを特徴とする請求項２０に記載のカメラスタンド。